(57)【要約】  バルク生産物輸送コンテナ（１０）において、湿潤環境を支持することができ、生産物を貯蔵する貯蔵領域と分配導管とを有し、該分配導管を介して流体が貯蔵領域に流入し生産物を通過するタンク（１２）と、前記タンク内の温度を制御する冷凍システムと、前記タンクからの流体を循環し濾過することができるアセンブリ（１１）と、を含む。
2008518637.tif 000002
【特許請求の範囲】
【請求項１】
バルク生産物輸送コンテナにおいて、
（i）湿潤環境を支持することができ、生産物を貯蔵する貯蔵領域と分配導管とを有し、該分配導管を介して流体が貯蔵領域に流入し生産物を通過するタンクと、
（ii）前記タンク内の温度を制御する冷凍システムと、
（iii）前記タンクからの流体を循環し濾過することができるアセンブリと、
を含むバルク生産物輸送コンテナ。
【請求項２】
前記アセンブリは濾過装置に接続する配管を含む請求項１に記載のコンテナ。
【請求項３】
前記配管は前記濾過装置と前記分配導管との間の流体接続を許容する請求項２に記載のコンテナ。
【請求項４】
前記濾過装置は前記アセンブリの一部を形成する請求項１から３のいずれかに記載のコンテナ。
【請求項５】
前記濾過装置は前記配管に接続するように配置された分離した装置である請求項１から３のいずれかに記載のコンテナ。
【請求項６】
前記濾過装置はバイオ濾過装置を含む請求項２に記載のコンテナ。
【請求項７】
前記濾過装置はオゾン殺菌装置を含む請求項２に記載のコンテナ。
【請求項８】
前記タンクは前記濾過装置の入口に接続された出口を含む請求項２に記載のコンテナ。
【請求項９】
前記タンクは溢水するようにされている請求項８に記載のコンテナ。
【請求項１０】
前記タンクは前記出口に接続された上昇管を含み、前記上昇管は流体が所定のレベルから前記出口を通ってタンクを出るのを許容する請求項９に記載のコンテナ。
【請求項１１】
前記タンクは前記生産物を支持するラック構造を含む請求項１から１０のいずれかに記載のコンテナ。
【請求項１２】
前記分配導管は前記ラック構造の下方に位置している請求項１１に記載のコンテナ。
【請求項１３】
前記分配導管は回転可能な分配ヘッドに接続されている請求項１１又は１２に記載のコンテナ。
【請求項１４】
前記冷凍システムは前記ラック構造の下方に位置する冷却要素を含む請求項１１から１３のいずれかに記載のコンテナ。
【請求項１５】
前記タンクは食品安全ライニングが設けられたタンクコンテナの形態である請求項１から１４のいずれかに記載のコンテナ。
【請求項１６】
前記タンクは前記濾過装置と接続するように配置された既存の入口と出口を備えたタンクコンテナの形態である請求項２に記載のコンテナ。
【請求項１７】
前記タンク内の環境に悪影響を与えることができる事象を検出し、前記冷凍システムを制御して前記タンク内の温度を通常レベルから持続する低温度レベルに減少し、前記生産物の保存を助成する制御システムを含む請求項１から１５のいずれかに記載のコンテナ。
【請求項１８】
前記生産物は水生有機体で形成され、前記冷凍装置は２つの範囲で動作するようにされ、その一つは前記水生有機体の通常生存温度を維持することであり、他は前記水生有機体を実質的に生物安定状態に維持することである請求項１から１７のいずれかに記載のコンテナ。
【請求項１９】
前記コンテナの外寸法は輸送コンテナの規制基準内にある請求項２に記載のコンテナ。
【請求項２０】
前記濾過装置はさらに前記タンクと前記コンテナの外寸法との間に適合する寸法にされている請求項１９に記載のコンテナ。
【請求項２１】
請求項１から２０のいずれかに記載のコンテナのタンクに接続するようにされた濾過装置。
【請求項２２】
タンク内の環境を維持し、生きた水生有機体を持続させる濾過システムを含む輸送タンクにおいて、前記濾過システムは、
（i）前記タンクから水を導く出口と、
（ii）前記出口と流体的に連通しそこを通過する水を濾過するようにされた濾過装置と、
（iii）前記出口及び濾過装置と流体的に連通し、前記濾過装置を通過する水を循環し、前記タンクに戻すようにされたポンプと、
（iv）前記出口、前記濾過装置及び前記ポンプと流体的に接続し、水を前記タンクに戻すように形成された入口と、
からなる輸送タンク。
【請求項２３】
前記濾過装置はバイオフィルタを含む請求項２２に記載の輸送タンク。
【請求項２４】
前記濾過システムは前記タンクに戻された水の毒性を処理するオゾンユニットを含む請求項２２又は２３に記載の輸送タンク。
【請求項２５】
前記オゾンユニットはランプと、該ランプの出力を濾過するランプフィルタとからなる請求項２４に記載の輸送タンク。
【請求項２６】
前記タンクは前記オゾンユニットの動作を制御するために水の性質を検知するセンサを含む請求項２２から２５のいずれかに記載の輸送タンク。
【請求項２７】
前記センサは前記タンクを遠隔的に監視するために前記水の性質に関するデータを提供するようにされている請求項２６に記載の輸送タンク。
【請求項２８】
前記センサはレドックスプローブである請求項２６又は２７に記載の輸送タンク。
【請求項２９】
前記タンクは前記タンク内の水を前記水生有機体を実質的に生物安定状態に維持するのに十分低い温度まで冷却する冷凍ユニットを含む請求項２２から２８のいずれかに記載の輸送タンク。
【請求項３０】
前記温度は０℃と−３℃の間の範囲内である請求項２９に記載の輸送タンク。
【請求項３１】
前記タンクの内側表面は、清水及び/又は海水を安全に収容するのに適したコーティングを有する請求項２２から３０のいずれかに記載の輸送タンク。
【請求項３２】
前記タンクは標準２０′輸送コンテナの寸法に従って寸法が決められている請求項２２から３１のいずれかに記載の輸送タンク。
【請求項３３】
前記タンクは、前記有機体が水に浸漬される溢水状態と、前記有機体が水位より上に維持される非溢水状態とを有するように配置されている請求項２２から３２のいずれかに記載の輸送タンク。
【請求項３４】
前記タンクは、溢水状態と非溢水状態の両方で前記タンク内の温度を制御するために前記タンク内に温度要素を有する請求項３３に記載の輸送タンク。
【請求項３５】
前記温度要素は１又はそれ以上のロッドの形態である請求項３４に記載の輸送タンク。
【請求項３６】
前記タンクは、前記タンクが非溢水状態にあるときに海産物を水位上に支持する海産物サポートを備えている請求項３４又は３５に記載の輸送タンク。
【請求項３７】
前記サポートは、溢水状態と非溢水状態の両方において前記温度要素が水に浸漬されるように前記温度要素に関連して配置されている請求項３６に記載の輸送タンク。
【請求項３８】
前記タンクは前記タンク内の湿度を制御するための湿度制御が設けられている請求項３３から３６のいずれかに記載の輸送タンク。
【請求項３９】
前記タンクは前記タンク内の酸素レベルを制御するための酸素制御が設けられている請求項３３から３７のいずれかに記載の輸送タンク。
【請求項４０】
前記タンクは開口を有する水出口導管が設けられ、前記開口は、該開口のレベルに水位が調整されるように配置されている請求項３３から３８のいずれかに記載の輸送タンク。
【請求項４１】
請求項２２から３９のいずれかに記載の輸送タンクととともに使用する濾過システムであって、前記濾過システムは、前記タンクに隣接し又は少なくともそれに近接するように寸法が決められ、前記タンク及び濾過システムが組み合わせて標準２０′輸送コンテナの寸法内に入るように寸法が決められている濾過システム。
【発明の詳細な説明】
【技術分野】
【０００１】
本発明は水性生物を輸送する配置に関する。さらに詳しくは、本発明はコンテナ内の輸送媒体の品質を維持する制御モジュールに関する。制御モジュールは好ましくは濾過システムを形成する。本発明は海産物を輸送する１又は複数のコンテナと動作的に関連した濾過システムを含むシステムにも広がる。本発明は排他的ではないが特に生鮮海産物を船、鉄道、道路輸送により生産地域から市場に輸送するシステムに向けられている。市場は地方、州間、国際であってもよい。好ましくは、濾過システムは１又は複数の媒体コンテナと可逆的に連結可能であり、内蔵型である
【背景技術】
【０００２】
この明細書において従来技術を参照することは、これらの従来技術がいかなる国においても一般常識の一部を形成するといった知識や提案ではないし、そのように解釈されるべきではない。
【０００３】
海産物は栄養分や高品質のタンパク源の例示的な一般的な形態である。この明細書では、「海産物」の表現は、海と淡水の両方の種類、特に人類が消費するように意図された食用動物種に拡大するように理解される。海産物は惑星中で仮想的に偏在的に需要がある。しかしながら、この形態の栄養物は、特に水産養殖事業を介して生産されるときは、取得するのが比較的高価である。また海産物は一旦死なせると、冷凍しない限り、貯蔵寿命が限定される。しかしながら、冷凍は少なくともある程度消費製品の品質が損なわれると一般に考えられている。この結果、生鮮海産物は市場で最も貴重とされ、入手するときにはプレミアムがつく。
【０００４】
生きた海産物を相当な距離まで輸送する種々のシステムが開発されている。しかしながら、一般に、著しい距離が必要となるや否や、製品の生存及びむしろ健康的な生存に適した環境状態を維持するのに相当な数の問題に遭遇する。輸送コンテナに収容された固体の死が始まると、全固体が死んだり、コンテナの積荷が汚染されたとして不良品となる危険性が大いに生じる。委託貨物が完全には失われないとしても、利益が減少し又は排除されるとともに、コンテナの内容物の品質が市場で下落する。
【０００５】
死の危険性を減らすために、輸送時間を最小にすることが試みられている。これには通常、航空機でコンテナを輸送する必要性が生じるが、これは現在まで国際商取引では必須である。生産/輸送業者は積荷に高い航空運賃を支払うが、その運賃はコンテナ、濾過装置、関連機械、最も典型的には水の重量が支配的である。これは製品の最終価格を必然的につりあげ、高い諸経費により魅力と競争力を減少する。輸送業者はコンテナを海産物生産地域に戻すという問題が残っており、さらに運営経費が増加する。
【０００６】
システムが輸送中の海産物の生存時間を増加することができれば有利である。既存の及び/又は修正した輸送コンテナのような輸送手段を使用することで、海上、鉄道及び/又は陸上輸送による生きた海産物を輸送するのに十分な生存時間を増加することができれば有利である。
【０００７】
現在まで、一つのコンテナの流体取扱い容量は約２６，０００リッター又は重量２６千トン相当である。３ドル/ｋｇの公称費用でこの容量の水の航空運賃は７５，０００ドルを超える。海上輸送費は、仕向地及び市場の効率に依存するが、これらの約５％〜１０％となる。
【発明の開示】
【０００８】
この明細書を通して、前後関係が他のことを要求しない限り、「含む」、「からなる」、「からなっている」の用語は、言及された要素又は整数あるいは要素又は整数の群を含むが、他の要素又は整数あるいは要素又は整数の群を除くものではないと理解されるべきである。
【０００９】
一つの局面では、バルク生産物輸送コンテナにおいて、湿潤環境を支持することができ、生産物を貯蔵する貯蔵領域と分配導管とを有し、該分配導管を介して流体が貯蔵領域に流入し生産物を通過するタンクと、前記タンク内の温度を制御する冷凍システムと、前記タンクからの流体を循環し濾過することができるアセンブリと、を含むバルク生産物輸送コンテナが提供されている。
【００１０】
好ましくは、前記アセンブリは濾過装置を含む。前記濾過装置はバイオ濾過ユニット及び/又はオゾン殺菌ユニットを含んでもよい。
【００１１】
好ましくは、前記アセンブリは前記濾過装置の出口を前記分配導管に接続する配管を含む。さらに好ましくは、前記タンクは前記濾過装置の入口に接続された出口を含む。好ましくは、前記タンクは溢水するようにされている。好ましくは、前記タンクは前記出口に接続された上昇管を含み、前記上昇管は流体が所定のレベルから前記出口を通ってタンクを出るのを許容する。
【００１２】
前記タンクは前記生産物を支持するラック構造を含む。好ましくは、前記分配導管は前記ラック構造の下方に位置している。好ましくは、前記分配導管は回転可能な分配ヘッドに接続されている。
【００１３】
好ましくは、前記冷凍システムは前記ラック構造の下方に位置する冷却要素を含む。タンクが溢水状態（水位がラック構造の上方にある）のときと非溢水状態（水位がラック構造の下方にある）のときの両方で、冷却要素を水に浸漬することができることが有利である。
【００１４】
好ましくは、前記タンクは食品安全ライニングが設けられたタンクコンテナの形態である。さらに好ましくは、前記タンクは前記濾過装置と接続するように配置された既存の入口と出口を備えたタンクコンテナの形態である。
【００１５】
好ましくは、前記生産物は水生有機体で形成され、前記冷凍装置は２つの範囲で動作するようにされ、その一つは前記水生有機体の通常生存温度を維持することであり、他は前記水生有機体を実質的に生物安定状態に維持することである。
【００１６】
好ましくは、前記コンテナの外寸法は輸送コンテナの規制基準内にある。さらに好ましくは、前記濾過装置はさらに前記タンクと前記コンテナの外寸法との間に適合する寸法にされている。
【００１７】
他の局面によると、前記コンテナのタンクに接続するようにされた濾過装置が提供されている。
【００１８】
さらに他の局面によると、タンク内の環境を維持し、生きた水生有機体を持続させる濾過システムを含む輸送タンクにおいて、前記濾過システムは、前記タンクから水を導く出口と、前記出口と流体的に連通しそこを通過する水を濾過するようにされた濾過装置と、前記出口及び濾過装置と流体的に連通し、前記濾過装置を通過する水を循環し、前記タンクに戻すようにされたポンプと、前記出口、前記濾過装置及び前記ポンプと流体的に接続し、水を前記タンクに戻すように形成された入口と、からなる輸送タンクが提供されている。
【００１９】
好ましくは、前記濾過装置はバイオフィルタを含む。好ましくは、前記濾過システムは前記タンクに戻された水の毒性を処理するオゾンユニットを含む。さらに好ましくは、前記オゾンユニットはランプと、該ランプの出力を濾過するランプフィルタとからなる。前記タンクは前記オゾンユニットの動作を制御するために水の性質を検知するセンサを含んでいてもよい。好ましくは、前記センサは前記タンクを遠隔的に監視するために前記水の性質に関するデータを提供するようにされている。ある形態では、前記センサはレドックスプローブである。
【００２０】
好ましくは、前記タンクは前記タンク内の水を前記水生有機体を実質的に生物安定状態に維持するのに十分低い温度まで冷却する冷凍ユニットを含む。前記温度は０℃と−３℃の間の範囲内であってもよい。
【００２１】
好ましくは、前記タンクの内側表面は、清水及び/又は海水を安全に収容するのに適したコーティングを有する。
【００２２】
好ましくは、前記タンクは標準２０′輸送コンテナの寸法に従って寸法が決められている。
【００２３】
好ましくは、前記タンクは、前記有機体が水に浸漬される溢水状態と、前記有機体が水位より上に維持される非溢水状態とを有するように配置されている。好ましくは、前記タンクは、溢水状態と非溢水状態の両方で前記タンク内の温度を制御するために前記タンク内に温度要素を有する。前記温度要素は１又はそれ以上のロッドの形態であってもよい。
【００２４】
好ましくは、前記タンクは、前記タンクが非溢水状態にあるときに海産物を水位上に支持する海産物サポートを備えている。さらに好ましくは、前記サポートは、溢水状態と非溢水状態の両方において前記温度要素が水に浸漬されるように前記温度要素に関連して配置されている。
【００２５】
好ましくは、前記タンクは前記タンク内の湿度を制御するための湿度制御が設けられている。好ましくは、前記タンクは前記タンク内の酸素レベルを制御するための酸素制御が設けられている。
【００２６】
前記タンクは開口を有する水出口導管が設けられ、前記開口は、該開口のレベルに水位が調整されるように配置されていてもよい。
【００２７】
他の局面では、前記輸送タンクととともに使用する濾過システムであって、前記濾過システムは、前記タンクに隣接し又は少なくともそれに近接するように寸法が決められ、前記タンク及び濾過システムが組み合わせて標準２０′輸送コンテナの寸法内に入るように寸法が決められている。
【００２８】
海産物輸送コンテナとともに使用する濾過システムは、
（i）前記コンテナから水を導くための１又はそれ以上の出口パイプと、
（ii）前記１又はそれ以上の出口パイプと流体的に連通し、そこを通過する水を濾過するようにされた１又はそれ以上のフィルタと、
（iii）前記１又はそれ以上の出口パイプ及び前記１又はそれ以上のフィルタと流体的に連通し、前記濾過システムを通過する水を循環し、前記コンテナに戻す１又はそれ以上のポンプと、
（iv）前記１又はそれ以上の出口パイプ、前記１又はそれ以上のフィルタ、及び前記１又はそれ以上のポンプと流体的に連通し、水を前記コンテナに戻るように形成された１又はそれ以上のタンク入口パイプとからなり、
前記１又はそれ以上のフィルタはプラスチックフィルタからなる濾過システム。
【００２９】
好ましくは、プラスチックフィルタは自己洗浄クラッチディスク型フィルタからなる。フィルタは好ましくは約１０ミクロン以上の径の粒子を濾過するようにされている。２つの分離したディスク配置がフィルタシステムに設けられることが好ましい。ディスク型フィルタは、圧縮モードで、互いに挟まれたときに１０ミクロンまでの粒状物質の濾過を許容するようにされている。プラスチックの性質により、タンパク質及び他の廃棄物質をプレートに引き付ける（かす状沈殿物）。開放洗浄モードでは、プレートは僅かに離隔され、第２水/圧縮空気源から回転され、接線方向に加えられる噴流による圧力で旋回し、噴流（１２０psi）水空気混合を過ぎて回転し、洗浄を促進する。この装置は、商業的に入手可能な多数の部品からなるが、異なる洗浄/動作システムで配置されている。
【００３０】
濾過システムはフィルタを洗浄する洗浄手段を含んでいてもよい。洗浄手段は加圧液体供給手段からなっていてもよい。加圧液体供給手段は、加圧液体及び/又はガス供給源を備えてもよい。ガスは空気であってもよい。液体供給源は水を備えてもよい。水は清水であってもよい。洗浄手段は液体を加圧する洗浄ポンプを含んでいてもよい。
【００３１】
濾過システムは、コンテナと係合するモジュール又はモジュールシステムとして形成されることが好ましい。モジュールはフィルタシステムの少なくとも幾つかの要素を支持するフレームで形成されてもよい。
【００３２】
モジュールは、輸送コンテナの端に搭載するようにされてもよい。代案として、モジュールは、コンテナの上面又は側面に搭載するようにされてもよい。モジュールは、好ましくは長さ、幅、広さ、幅で形成され、ここで幅は他の２つの寸法より実質的に小さく、これにより低姿勢（low profile）又はウェハ効果を形成する。
【００３３】
輸送コンテナはタンクコンテナのような単一のコンテナであってもよい。代案として、コンテナは２又はそれ以上の離散した第２コンテナからなっていてもよい。第２コンテナは第１外コンテナの内側に配置されてもよい。
【００３４】
モジュールは、輸送用に取り外せるように、コンテナに好ましくは可逆的に、より好ましくは容易に可逆的にコンテナに搭載される。
【００３５】
フィルタシステムはさらに第２フィルタ手段を有していてもよい。第２フィルタ手段は、１又はそれ以上のバイオフィルタからなっていてもよい。各バイオフィルタは１又はそれ以上の上昇カラム型容器（updraught column style enclosure）からなっていてもよい。容器は焼結ガラス及び/又は微細貝殻砂粒（shell grit）を収容してもよく、またさらに浮遊排気物質を除去するスキマー手段（skimmer means）を組み込んでもよい。さらに好ましくは、５つの上昇カラム容器が設けられるが、数は必要に応じて変更してもよい。上昇カラムは頂部と底部の一方又は両方でアクセスを設けるように形成されてもよい。第２フィルタ手段はフィルタシステムの流路のオプションであるループに配置してもよい。オプションのループはバイパスループであってよい。又は、オプションループとバイパスループの組み合わせは、コンテナからの水の流れに対して選択してもよい。フィルタシステムは、空気を１又はそれ以上のバイオフィルタカラムに注入するための空気注入手段を都合よく含んでいてもよい。
【００３６】
フィルタシステムはバイオフィルタカラムからの浮遊廃棄物質を除去するスキマー廃棄物質除去手段を含んでいてもよい。スキマー廃棄物質除去手段は、浮遊廃棄物質をフィルタカラムから外方に押しやるように設計された空気流出配置からなっていてもよい。
【００３７】
フィルタシステムは、さらにフィルタシステムを通って循環する水の温度を低下する冷却手段をさらに組み込んでもよい。冷却手段は熱交換器からなっていてもよい。
【００３８】
フィルタ手段は、さらにフィルタシステムを通過する水の温度を増加する加熱手段からなっていてもよい。フィルタ手段はさらに都合よく１又はそれ以上の加熱要素からなっていてもよい。加熱要素はチタン被覆要素であってもよい。さらに好ましくは、３つの独立したチタン被覆要素がフィルタシステムに設けられている。
【００３９】
フィルタシステムはさらにフィルタシステムを通過する水の微生物集団を減少する殺菌手段からなっていることが都合がよい。
【００４０】
殺菌手段は紫外線殺菌配置からなっていてもよい。紫外線殺菌配置は、フィルタシステムを通って流れるコンテナ流体を照射するように配置された２５４ナノメータ殺菌低圧チューブからなり、又はそれを含んでいてもよい。低圧チューブは高透明性粒状石英スリーブを有していてもよい。
【００４１】
ポンプ手段は好ましくは２つの分離した独立ポンプを含んでいてもよい。ポンプは毎時約３０，０００リッターの容量を有していてもよい。
【００４２】
フィルタシステムは、さらにフィルタシステムの機能を制御する制御手段からなっていてもよい。制御手段はプログラマブル制御手段からなっていてもよく、好ましくはプログラマブルロジックコントローラを含む。プログラマブルロジックコントローラは、好ましくはポンプ速度、水流量、温度制御、洗浄サイクルのような関連機能を制御し、異常及び/又は損傷状態を検出し、警報表示を提供するようにプログラムされている。
【００４３】
フィルタシステムはさらに電力供給手段からなっていてもよい。電力供給手段は主電源のような外部電源からの電力の入力手段を有していてもよい。好ましくは、又は付加的に、電力供給手段は、電流を生成する発電手段を含む。発電手段は発電機、好ましくはディーゼル発電機からなっていてもよい。発電機は約１５Ｋｖａを提供してもよい。
【００４４】
フィルタシステムは好ましくはさらにまた水供給手段を有する。水供給手段は、ディスクを洗浄しまた他の洗浄動作に使用する清水又は塩水供給手段であってもよい。これは貯蔵タンクとポンプ配置を含む。ポンプ配置は流体及び/又は圧縮ガスを供給するポンプを含んでいてもよい。
【００４５】
好ましくは、フィルタシステムはフレームを組み込み、該フレームに支持されている。フレームはアルミニウム、その他の適切な金属、又は重合材料のような非腐食性材料から形成されてもよい。フレームはコンテナに固定するための固定手段を含んでもよい。
【００４６】
フィルタシステムの湿潤表面は好ましくは耐食性材料から形成される。耐食性材料はポリ塩化ビニルのようなプラスチック材料であってもよい。代案として又は付加的に、耐食性材料はチタンのような金属からなっていてもよい。
【００４７】
コンテナは前述したような付着フィルタシステムを備えていてもよい。
【００４８】
生きた海産物のための輸送コンテナとフィルタシステムを提供する方法は、プラスチックフィルタ部材をフィルタシステム流路に配置するステップを有する。好ましくは、この方法は、ツイン自己洗浄クラッチディスク型フィルタ配置を流路に固定することからなり、ここでツインフィルタシステムは独立しており、一緒に及び/又は代案として選択可能である。
【００４９】
前記方法は、さらにフィルタ配置を清掃する自動清掃手段を提供することを含む。自動清掃手段は水及び/又はガスのような加圧流体を提供ように適合されている。ガスは空気であってもよい。
【００５０】
前記方法はさらに、フィルタシステムを通って流れる水をさらに濾過する１又はそれ以上のバイオフィルタカラムを提供するステップを有する。前記方法はさらに、加圧空気を１又はそれ以上のバイオフィルタカラムに提供する空気注入配置を提供することを組み込んでもよい。
【００５１】
スキマー配置は異物を除去する空気流出手段（air bleed means）を含んでもよい。前記方法はさらに、電力をシステムのポンプ配置に提供するステップを含んでもよい。前記方法はさらに、システムを通過する水を加熱及び/又は冷却すること、及びＵＶ殺菌器のような抗菌手段により水を処理することを含む。
【００５２】
前記方法は、フィルタシステムをコンテナの端に搭載することを含んでもよい。コンテナは単一のコンテナ要素からなっていてもよい。代案として、複数の分離した第２コンテナが設けられてもよく、それは独立していてもよいし、または第１外コンテナの内側に配置されてもよい。前記方法はさらに、動作しないときに、フィルタシステムと第２コンテナを輸送のために第１コンテナの内側に収容するようにすることを含む
【００５３】
生きた海産物を輸送する方法は、生きた海産物を前記に規定された付着フィルタシステムからなる海産物輸送コンテナに設置することと、コンテナを目的地に輸送することからなる。好ましくは、コンテナの輸送は航空、道路、鉄道又は海上のいずれか一つ又はそれ以上による。
【発明を実施するための最良の形態】
【００５４】
本発明のより良い理解のために、添付図面を参照して、好ましい実施形態を例示として詳細に説明する。
【００５５】
本発明は、既存のコンテナインフラと新規な濾過システムを介して、漁師、海洋牧場主、生もの提供者と市場を結びつける非常に多くの利点を提供し、大量の塩水及び清水を輸送する安価なシステムを提供する。このシステムは、熱帯又は寒冷地で清水と塩水の両方に使用することができる。これはコンパクトで、フォークリフトやリフトアーム（hiablift arm）により操作することができる。濾過システムは、例えば１０,０００リッターから２６,０００リッターの容量の２２６０２０′タンクコンテナと関連して動作するように設計されている。これらのタンクコンテナは通常食品用材料で形成され、大量の液体の取扱いに使用されている。これらは、従来の空輸に比べて相当に費用を節約し、陸上、海上、鉄道により多量の生鮮品を輸送する大きくて有効な手段を構成している。一つの実施形態では、本発明のユニットは、既存のタンク保持システムの容量を増大する独立型の付属システムとしても使用することができるし、フレキシブル継手及びワンピース構造により、有効にかつ迅速に設置され運転されるように適合させてもよい。
【００５６】
図１を参照すると、濾過システムモジュール１１とタンクコンテナ１２からなる濾過システム及びコンテナの配置１０がみられる。タンクコンテナ１２は単一のコンテナであり、濾過モジュール１１と流体的に接続している。濾過システム１１は任意の動力源で駆動してもよいが、好ましくは電源を備え、さらに好ましくは三相電源である。タンクコンテナは１００００リッターから２６０００リッターの容量のＩＳＯ２０′（２０フィート）タンクコンテナとして形成されるのが都合がよい。上部アクセス開口１４は、運転中のタンクコンテナの検査や総合メンテナンスを許容するために設けられている。
【００５７】
ディスク型フィルタは、互いに挾まれたときに１０ミクロンまでの特定の物質を濾過することができるように、圧縮状態にある。プラスチックの性質により、タンパク質やその他の廃棄物をプレートに引きつける（かす状堆積物）。開放洗浄モードでは、プレートは僅かに分離されて、第２水/圧縮空気源から回転し、接線方向に付与される噴流による圧力で旋回し、噴流気水混合物を過ぎて回転し、洗浄を促進する。この設備は、多数商業的に入手可能な部品からなるが、異なる洗浄/動作システムで配置されている。
【００５８】
ある製造者はディスクとスプラインを供給する。このスプラインはその後に中央制御軸とともに修正される。新たなハウジング、制御システム、バルブが形成され、当初の設計に逆らった条件で洗浄するのに必要な洗浄力を高める。
【００５９】
通常の逆洗条件での海洋廃棄物濾過の付着性により、プレートが互いに付着し、予想よりも速く詰まり、その後濾過の有効流れが停止し、スピンクレーン（Spin Clean;商標）の設計が修正される。
【００６０】
図２は、濾過システムモジュール２１、外部第１コンテナ２２及び複数の内部第２コンテナ２３からなるコンテナ濾過システムとコンテナの配置２０を示す。外部第１コンテナは２０′コンテナ又はオプションとして４０′コンテナとして形成されてもよい。ポートホール２４が設けられ、２０４０及び４０４０ヨーロッパ型の非一体型冷凍コンテナ（reefer）であってもよい。コンテナドア２５が設けられている。
【００６１】
さらなる実施例が図３に示され、ここでは、濾過システムとコンテナのモジュール３０は濾過システムモジュール３１と外部第１コンテナ３２とからなる。外部コンテナ３２は２０′コンテナ又は４０′コンテナであり、第２コンテナ３３を収容している。コンテナはドア３４を有している。濾過システムモジュール３１は、型式２０４０又は４０４０として形成されたポートホール３５を介して、第２コンテナ３３と流体的に接続している。入口及び出口パイプ（不図示）はこれらのポートホールを介して第２コンテナと流体的に係合している。
【００６２】
数字２０４０，４０４０，２２３２，４２３２及び２２６０は、コンテナの型式識別番号である。
【００６３】
２０４０又は４０４０：
最初の２桁はコンテナの長さを特定している。例えば、２０２０は２０′長さのコンテナを意味し、４０４０は４０′長さのコンテナを意味する。第３及び第４桁はコンテナのタイプを規定する。例えば、２０４０は冷気が２つのホール（ポート）を介して供給排出されて収容品の温度制御を促進する非電動ポートホール型絶縁コンテナを意味する（外部制御の旧ヨーロッパ型）。
【００６４】
２２３２又は４２３２：
これらのコンテナは、一端に冷凍モジュールを収容する標準形態の冷凍コンテナである（一般冷凍コンテナ）。三相電力を供給すると、設定温度を自己調整する。
【００６５】
２２６０：
これは多量液体用の液体取扱いコンテナである。２０′コンテナフレーム内のタンクである。３０４又は３１６Ｌステンレス鋼で、１００００から２６０００リットルまで種々の容量に構成されている。これらは一般に断熱されているが常にではない。
【００６６】
図４は、モジュール４１、第１コンテナ４２及び第２コンテナ４３を備えた濾過システムモジュールとコンテナ４０のさらなる実施形態を示す。コンテナドア４４が設けられている。しかしながら、この場合、発電プラント４５が設けられ、システムが自給されることを保証している。発電プラントは任意のタイプの発電機であってもよく、好ましくは外部に排気され、自動制御により濾過システムモジュール４１を給電し、又は代案として又は付加的に濾過システムモジュールに電力を供給するバッテリーを給電するようにしてもよい。ある形態の発電機が内部に収容され、コンテナポートを介して排気される。例えば、ヨーロッパ型ポートホール４０４０型コンテナは、乗用船であるが、船の電力の供給を受ける場合ではない場合、停電状態を除いてオフモードである。道路又は鉄道運転では、無給電率を利用するために電力をモジュールに供給する。いくつかの鉄道サービスは、原動力（prime mover）を扱うサイドローダコンテナを備えた場合のように、電力を供給しない。
【００６７】
図５は、容易に取り外し可能な濾過システムモジュールとコンテナ５０の利点の一つを示し、ここでモジュール５１は内部に収容されている。図２のような実施例では、モジュールは容易に配置することができることは明らかである。第２コンテナ５３はその容量を減少するために積み重ねられ、起点に戻る有効な輸送手段を提供する。輸送コストは
特別貨物５４、好ましくは有料貨物を追加することで負担することができる。
【００６８】
図６は、第２容器又は製品容器（enclosure）６２と流体的に連通する濾過システムモジュール６１を輸送するトラック６０の側面概略図を示す。本システムにより製品容器６２内の内容物の高い品質の制御が可能であり、収容種の生存率と健康を増進することができる。種はアワビ、牡蛎、魚、ロブスター等の海洋生物、魚、ウナギ、ザリガニなどの淡水種のような任意の種であってもよい。これらの種は、限定するものでないが、他の種も本発明の範囲及び概念の中にある。
【００６９】
図７は、濾過システムとコンテナの組合せ６５を示し、ここで濾過モジュール６６はコンテナ６７の上部に配置された薄い配置として形成されている。この形態は「ウェハ」モジュールと呼ぶことができる。図７Ａは上面図であり、ここでモジュールはアクセス開口６８の回りに延びている。エンドドア６９が設けられ、モジュールは開口を囲む一方アクセスを維持するように形成されている。
【００７０】
図８は、モジュール７１とコンテナ７２のさらなる実施形態７０を示し、ここでコンテナは、第１外部コンテナ７３と該第１外部コンテナ７３内に配置された流体保持第２コンテナ７４からなる。ドア７５によりコンテナへのアクセスが設けられている。この場合のモジュールは、「ウェハ型」構造であり、以下に記載の相当な利点を有する。
【００７１】
図９は、タンク出口パイプ又は導管８１からなる濾過システム配置８０の概略図を示す。タンク出口導管は２又はそれ以上の別個の導管又はパイプからなっていてもよい。パイプはフレキシブル部材として形成されてもよい。パイプは、フレキシブルホースに対しては５０ｍｍ、両端にカムロック継手を有するバヨネットホースに対しては５０ｍｍの寸法を有する。タンク出口は２つのフィルタ８２，８３と流体的に連通している。フィルタは好ましくはプラスチックディスクフィルタとして設けられる。それらはツイン自己洗浄クラッチディスク型フィルタとして形成されることが都合がよい。それらは約１０ミクロン以上の系の粒子を濾過するように適合されてもよい。フィルタを清掃するために空気注入ライン８４が設けられている。空気注入は水貯蔵源を駆動し、水を加圧して濾過面に押し付け、それらを清掃する。代案として、水源を加圧するのにポンプを設けてもよい。水源は都合により塩水、清水であってもよい。
【００７２】
暑い状態で温度を所望のレベルに維持するために、熱交換器８５の形態の冷却配置が設けられている。これは、タンクコンテナが熱帯気候で船のデッキで輸送されるときの問題である。濾過された水は２つの別個のポンプ８６，８７の一方又は両方に引き渡される。一方のポンプについて問題が生じた場合、負荷を広げるために、余剰性（redundancy）を設けることが好ましい。ポンプは濾過システム回路を加圧し、流体をマニホールド８８によりサービスされるバイオフィルタカラム８８に押し込む。マニホールドは必要ならばオプションとしてバイパスライン９０を含む。バイオフィルタカラム８８への流れは適宜変更してもよい。全ての水流がそれらを通過してもよいし、代案として、水流はバイパスを通過してもよい。またはこれらの２つの組み合わせを使用して濾過率を制御してもよい。バイオフィルタカラム８８にバイオ媒体９１が設けられ、該バイオ媒体は焼結ガラス及び/又はシェルグリッド（shell grid）からなっていてもよい。空気をバイオフィルタに押し込んでバイオフィルタ内に位置する水と有益な微生物を酸化させるために、空気注入手段９２が設けられている。バイオフィルタカラム８８の頂部にスキマー（skimmer）ボックス９４が配置され、抽気出口９５を介して羊毛やかす、泡立つ材料を除去するように構成されている。バイオフィルタから取られた流体は、寒冷機構で使用するためにヒータ９６を通過し、滅菌器９７を通ってタンク入口パイプ９８に戻る。タンク入口パイプは、１または複数のパイプからなる。パイプはフレキシブルであってもよいし、剛体であってもよい。パイプは必要に応じて１又は複数のコンテナに戻すように設計される。
【００７３】
種々のモジュール形態が図に示されている。
【００７４】
(i)  タンクコンテナに接続---ＩＳＯ２０´、１００００lt〜２６０００lt（図１）
【００７５】
(ii)  内部に２０´又は４０´ポートホール断熱２０４０〜４０４０ヨーロッパ型非一体型リーファー（図２）
【００７６】
(iii)  外部に２０´又は４０´ポートホール断熱２０４０〜４０４０ヨーロッパ型非一体型リーファー（図３）
【００７７】
(iv)  内部に２０´又は４０´一体型リーファーコンテナ２２３２〜４２３２--あるリーファーコンテナは通気部を有し、該通気部は種々のケーブル例えばホースを接続することで適応することができる（図４）。
【００７８】
(v)  補足製品収容容器を含むＬＣＬ荷のような一般乾燥コンテナにおけるリターンモード（非動作）（図５）
【００７９】
(vi)  非セルモード（静的使用）又はオントレイ又はバントラック。軽量車両輸送--遠隔製品実験バックグラウンドワーク用タンデムトレーラー又は軽量トラック（図６）。
【００８０】
図２，３，４の実施形態は、防水蓋をきつく取り付けた内部容器を必要としている。図２，３，４，５では、システムは過剰に詰め込むことができ、高密度細胞容器に使用する標準スロット要求にかなっている。モード２から４は過大寸法（over dimensional）ではない。
【００８１】
水輸送容量は２０´コンテナ（２２３２−２０４０）では内部空間制限により有効でないので、２０´セルスロットを有効使用することが十分であるが、単一のタンクコンテナを用いて向上することができる。２０´の伝統的なコンテナの利用可能空間は、内部容器の必要性により内部で運ぶことができる水容量を制限する−全ての空間を利用することができない。それで、コンテナは重量収容力ではなく軽くして船で輸送される。したがって、水容量が低いことによる輸送製品の減少は、最大２５トン（道路最大総計）である。空間が増加しているが重量は増加しない（約２５トン）４０´コンテナでは、最大水容量を楽に含めることができる。タンクコンテナは最大水輸送能力に適し、最大重量によりサイズを決めることができる。
【００８２】
４０´コンテナ（４２３２−４０４０）は、完全又は２５トンに近い３軸重量制限（道路）の利用が可能であるが、完全な４０´スロット及びその後のコストを招く。これは、規模経済により有益であることを証明している。
【００８３】
どの種類の製品が輸送されるかに基づいて種々のモードが利用できる。アワビの検査のために個々の容器（enclosure）にオペレータのアクセスが必要である−アワビ１個の死は隣のアワビに影響を与え死なせることがある。しかしながら、えらやうろこのある魚は、最大の水と空間を必要とし、ＩＳＯタンクコンテナが適している。
【００８４】
サイドローダー（side loader）の適用は、静止した保持システムが存在しない遠隔地での製品の統合（consolidation）のために、図２及び図４の２０´及び４０´寸法非超過モジュール（non-over dimensional）にとって好ましい。主運送業者（prime movers）には保持時間がないので、輸送可能な荷を構成するのに多くの漁業日（fishing days）を見ることが必要である。
【００８５】
ある好ましい実施形態は次の特徴を含む。
フレーム：    アルミニウムＣ断面  １．８ｍ×１．８ｍ×１．６ｍ
流体用の４つのラッチポイント又は一般コンテナ留め具を含む
濾過：        ツイン自己洗浄クラッチディスク型
１０ミクロン以下のデプスフィルタ
ポンプ        ２オンガ（onga）、３φプラスチック接着４ｋｗ
毎時３０，０００リッター（総流量＝６０，０００リッター）
バイオ濾過    ５アップドラフトカラム型容器
アクセス−上部及び底部（媒体タイプはオプション）
一般焼結ガラス及び微細貝殻砂含有スキマー（skimmer）
滅菌          高透明度粒状水晶スリーブを備えたＵＶ２５４ナノメータ殺菌低圧チ
ューブ
加熱：        ３つの独立３ｋｗチタニウム被覆エレメント
４００ｖ、９ｋＷ、３５℃以下の総加熱千歳能力
冷却          チタン含浸型熱交換器
４ｋＷ冷凍プラント、大気温度３８℃での取扱温度１０℃以下
制御          オムロンＰＬＣ（プログラマブルロジックコントローラ）に基づき、
デジタルカウンタによるポンプ速度水流、温度及び自動洗浄サイクル
を含む全ての他の機能を概観する。
異常状態警報機能が起動される。
粗く生成された電力でスムーズに運転するために重遮蔽装置を含む。
これはオペレータの最大使用容易性を提供する。
電力          ３φ相
標準３２アンペアプラグで４００−４４０ｖ標準（船舶電力用に無中
立で配線されている）
水：          オプション／清水又は塩水は供給されればタンク水を無損失洗浄を容
易にする。
発電機：      公称１５ＫＶＡ
平均負荷−約８ＫＶＡ
加熱は１４ＫＶＡまで間欠的に余剰電力負荷を要求する。
湿潤表面：    全接触水表面はＰＶＣ３１６Ｌ又はチタンである。
【００８６】
標準船積み配置は、十分なサポートを与える。以下のことが適している。
【００８７】
(i)  過剰積込みの無いデッキスロット−タンクコンテナモード（製品検査）で必要な検査カバーにアクセスする。
【００８８】
(ii)  電動スロット−標準リーファー電源
【００８９】
(iii)モジュールは、モジュールはタンクコンテナを長手軸に超過寸法にする約１．４ｍ過剰に長い。モジュールが流体コンテナの端寸法を超過しなければ、４０´スロットで足りる。
【００９０】
(iv)  １０ｍｍ（１／２”）ホースによりタンクに供給される水−逆洗モード用（必要であれば調整されたタンク水上を走ることができる、）
【００９１】
(v)  荷揚げから荷下ろし地（現在）まで容器とともに移動するオペレータ（システムスペシャリスト）を募集してもよい。
【００９２】
タンクコンテナシステムは、熱帯又は寒冷地で清水又は塩水の両方に使用してもよい。モジュールは１００００リッターから２６０００リッターの海洋２２６０２０´タンクコンテナと関連して動作するように設計される。
【００９３】
本システムは、約１０ミクロン粒子サイズ以下の自動機械的濾過を提供してもよい。この濾過システムは塩水回路に組み込んで、主ポンプの前に配置して、固形又は半固形物の混合を停止し、それ以降の除去を許容するようにしてもよい。
【００９４】
ハウジングは、開口や継手が配置されるように機械加工されたプラスチックパイプの厚い断面から構成してもよい。圧縮空気の洗浄サイクルへの導入は、水単独よりもはるかに優れた洗浄動作を提供する。
【００９５】
特大の乱流と結合された濾過プレートを接線方向に横切る速度の増加率は、より大きなエネルギー入力を促進し、圧縮空気が洗浄に使用されたときに洗浄効率を向上するように思われる。これは、清水（生水又は代案として塩水源）を洗浄剤とし洗浄回路が圧縮空気のみによって駆動される場合に、達成される。
【００９６】
この形態では、清水洗浄サイクル（洗浄回路）とともにその背後で圧縮空気が駆動力となっていることにより、洗浄ポンプを必要としない。
【００９７】
圧縮空気により駆動される清水の洗浄容量は、洗浄必要性に適するように変化させることができる結果、洗浄容量とサイクル時間が減少する。３〜１０リッターの低い水消費量と５から８秒の短い洗浄時間とが達成される。これは、従来の逆洗動作に比べて非常に短いが、１２０ｐｓｉの差圧に対抗することができるスプラインを備えることで、有機かつ粒子状の廃棄物の高度接着により、短時間で低容量の高圧洗浄が実行可能であり、必須でとなる。驚くべきことに、この洗浄問題の解決を追求し、ある利点が見いだされた。蛋白質スキマー（protein skimmer）のように有機廃棄物を捕獲するこのフィルタの能力は、非常に有利である。おそらく液気界面を使用する蛋白質スキマーと同様、固液界面によりこの方法で機能すると思われる。プレートから除去される高圧有機廃棄物が高乱流洗浄により達成されると、第１洗浄動作が実行可能となる。１０ミクロンの深さを越える効率の濾過の用途が予想されている。
【００９８】
大きな濾過面積と低い圧力差は、主マニホールド管の下方の異なる駆動機構により供給される長いスプラインと高いプレート圧力（圧縮力）を利用することにより、濾過面を横切るこの効果を最大化することができる。
【００９９】
プレートの数は、濾過ハウジングカバーを延長することにより、外部が同様のサイズのフィルタでより多い処理量を与えるように、増加することができる。このように、同様の濾過面積の増加により３０−４０％の効率向上が達成され、圧力差が減少され、エネルギーが大いに節約される。その後のスピンオフにより、流速が低いので有機物質がフィルタディスクに多く保持される。圧力差が低いことにより、濾過ヘッドでの熱交換が減少し、冷凍及びポンプコスト（pumping cost）が減少する。
【０１００】
入口及び廃棄物用のバルブは、ブロンズのオフセットブランチＶ型、錫がめっき（plated）され、静電的に被覆されている。これらは、濾過/洗浄モードの真空圧力の必要性により、
二重動作型であってもよい。駆動機構と液圧装置は、２４ｖＡＣソレノイド駆動のプラスチックである。「ワイルデン」（Wilden(商標)）（ダイヤフラム）供給ポンプは、「オンガ」（商標）圧力貯蔵器と同様に、液圧制御用である。修正がより大きなサイズの制御チューブであり、主液圧流体が洗浄水源から引きかれた清水であることにより、腐食と目詰まり（gumming）の問題が排除される。
【０１０１】
バルブのよりタイトな制御動作は、運転サイクルの性質、真空及び空気圧力による塩水の引き込み、圧縮空気水洗浄、その後の清水の排除、塩水の再充填により達成され、ハウジング内の特定の有機物の保持が可能になり、濾過容器からの除去が促進される。全ての濾過ヘッドに対する３つのソレノイド回路が有益であり、より複雑化されたロジックコントローラによるこれらの制御が適切である。
【０１０２】
ツインオールプラスチック３相「オンガ」ポンプが適切であり、このポンプは可変３相速度制御と連結されてもよく、低製品負荷又はタンク貯蔵容量より少ない運転のときに、有効な運転を許容する。ポンプの設置はできるだけ低くし、この場合、流体レベルの概略基準線である。ポンプ保護回路と温度過負荷は同じマスターロジックコントローラにより制御してもよい。
【０１０３】
「マナロープ（登録商標）」圧縮機、コンデンサ、ファンユニットは適切であることが証明された。船上や通路（transit）での熱の除去は、交換ファンを循環させることにより容易に取り組むことができる。
【０１０４】
熱交換器は、コンパクトなマニホールドに合うように曲げられ巻かれたチタンチューブであってもよい。モジュールのマニホールド部にコイルと真直な冷蔵室アセンブリとを利用することによって、大きな水の乱流の利点が活用され、最高の熱変換を得ることができる。
【０１０５】
スキマーは、水と空気の間の接触経路が最大の可能な長さであるときに、最高の効率を提供する。一つのオプションは、部分圧力下でスキマーを走らせることである。主ポンプの吸込み側で、溶解酸素レベルを増加する曝気（aeration）のために空気が水流に流出し、５つのアップドラフトバイオフィルタの上側で除去される。アップドラフト容器の底で水に注入された第２の空気は円筒容器の頂部に空所を生じ、過剰空気と汚染泡が引き離され、第２の出口抽気を用いて引き出すことができる。バイオフィルタとスキマーの組み合わせは、空間を節約し、１シリーズの容器の二重動作により新規である。バクテリア濾過とタンパク質/廃棄物除去の両方のために、設計スペースと重量が節約され、これはある輸送形態で重要である。この形態では、全システムはガス交換を助成し、水と酸素の含有量を増加するほか、スキマーとして運転してもよい。
【０１０６】
従来のシステムレイアウトでは、バイオフィルタは完全総合回路の一部であり、通常はタンクからオーバーフローする第１要素ポストである。フィルタはそこに配置され、冷蔵室の前の最後の要素であるという事実により、温度の僅かな上昇（可能性）という利点がある。しかしながら、この配置には多くの欠点があり、それは以下のものを含む。
【０１０７】
（i）タンクの排出口での溶解酸素の不足
【０１０８】
（ii）多量の溶解有機物、粒状有機物及びその他の物質がフィルタの上層に滞留し、詰まったり、汚染レベルを増加する傾向がある。
【０１０９】
（iii）ある形態の機械的投入又は注入なしに、曝気を高める可能性がない。
【０１１０】
（iv）フィルタは主な生物学的環境から分離することが非常に困難である。
【０１１１】
（v）バクテリアコロニー減少効率を犠牲にして多大な酸素を除去し、製品を輸送する高い生物学的要求を止める方法がない。
【０１１２】
（vi）バクテリア酵素廃棄物分解プロセスを助成するために圧力、酸素、熱の変化を使用する可能性がない。
【０１１３】
本発明では、バイオフィルタは別個の補助ループ上を移動し、流れを監視してもよい。アンモニア、亜硝酸塩、及び硝酸塩の形成は、低ミクロンで機械的に濾過され、かすを除去（skimmed）されたタンクシステムにおいて、緩やかな過程である。全タンク容量は異なる流量でフィルタを通して循環する。結果として生じるフィルタの隔離は、バクテリア成長に適するように環境（溶解酸素）の「カスタム」変更を可能にする。バクテリアの最適成長条件は搬送品とは異なる。第１は温度、第２はアンモニア、タンクに入れられた製品には致命的であるがフィルタバクテリアには栄養と考えられる他のタンパク質分解製品である。部分操作自立性（partial operational autonomy）の必要性が生じる。大きな表面積を有する物質媒体とは別に、生物活性が増加する主要因は温度、圧力及び酸素である。これらの変化は本発明で大いに取り扱っており、作業効率が大きい。
【０１１４】
ＵＶシリアライゼーション（serialisation）は２つの場面で利用してもよい。第一は、水の生物学的純度を設定できないように要求される場合に、入り海水を処理し、積み荷容器を交換することである。これは汚染に対する予防である。第二は、バイオフィルタコロニーのメンテナンスであり、バイオフィルタの開発のタイプと状態、製品のタイプと荷重に応じて、利用してもよいし、利用しなくてもよい。第三の場面では、ある甲殻類に対する法的要求として、塩水環境の有害な病原体を減少してもよい。
【０１１５】
これらのシステムは、多くの基本的方法における従来のタンクシステムの通常のレイアウトから変化している。
【０１１６】
通常からのある変化は、約１０ミクロン粒子サイズまでの自動機械的濾過である。この濾過システムは主ループ回路に組み込まれ、主ポンプの前に配置され、固形又は半固形物の混合とその後の除去を停止する。
【０１１７】
ディスク圧縮フィルタは、泡分別器（泡分別器は塩水中でのみ有効である）の液気界面に類似する固液界面を利用するタンパク質スキマーに類似する方法で行動をする付加的な利点を有する。
【０１１８】
フィルタは、電子的に監視され、負荷に応じて、圧縮空気で運転される清水により洗浄される（８リッターの洗浄容量は通常である）。調整されたタンク水はこの過程で失われないし、粒子と有機廃棄物の完全除去が達成される。
【０１１９】
この技術は、アンモニア減少能力を減少することなく、バイオフィルタの輸送サイズへの圧縮を許容した。
【０１２０】
ポンピングシステムは、低製品負荷での電力節約のための速度制御を組み込んで、信頼性のために複製される（製品の負荷と市場放出の統合）。水速度の減少の結果、摩擦の減少により冷蔵コストが節約される。
【０１２１】
アンモニアの非生物学的減少
【０１２２】
アンモニアの減少は、従来、バイオ濾過―任意の方法で収容され供給されるバクテリアの適切なコロニーにより行われている。多くの場合、変動荷重及び他のバイオ因子に関係する問題の根源である。
【０１２３】
オゾンユニットでオゾン及びＵＶを共に使用することにより、２つの有毒物質である「アンモニアと亜硝酸塩」を酸化して硝酸塩にすることができる。反応は細菌学的酸化に似ている。
【０１２４】
実施例の概要：
光学的に１８０−２９０ｎ/ｍ帯域ＵＶ又は電気放電（コロナ）により生成されるオゾンを接触槽に供給し、ここでオゾンをＵＶ水銀アルゴン放電ランプにさらす。広帯域放射１８０−２６０ｎ/ｍ（赤外線）を使用する。長波長はオゾンを生成し、短波長はオゾンを分解する。波長の変化により、分解帯域を減少し、第２に溶液中の特定の化学物質を目標とし、エネルギーポテンシャル、すなわちその酸化される能力を増加することで、性能を増加することができる。
【０１２５】
ＵＶ帯域での変化は、ランプを包囲する他の媒体、ガス又は液体を透過させ、特定の帯域を吸収し、好ましい放射線を反応槽に通過させることによって、達成してもよい。濾過（ＵＶ吸収）溶液/ガスは多くすることができ、酸化される種又は吸収される帯域に従って変化させることができる。
【０１２６】
伝統的な放射線吸収物質、例えばビコル（Vicor;登録商標）での石英ガラスの伝統的処理は、１８０−２００ｎ/ｍＵＶの範囲を排除し、短波長を「殺菌性」の２５４ｎ/ｍ分解帯域を通過させることによりオゾンの生成を停止することのみを目的としている。これは、石英ランプを所定の媒体（図１０及び１１参照）で包囲することにより克服することができる。
【０１２７】
酸化過程の制御は、特定のミリボルトに設定することができる電子回路に接続されたプラチナレドックスプローブにより接触/照射槽内で読み取られたミリボルトによって達成され、これにより汚染水を流動させることができる（すなわち、レドックス「ミリボルト」が目標範囲以下に低下すると、ミリボルト範囲が回復するまで、流れを遅くするか、停止する。これにより、種々の酸化汚染物質に対して露光接触時間を許容することができる）。
【０１２８】
結果として得られる時間とミリボルトの曲線の形跡（signature）は、任意の水の試料に存在する汚染物質―又は全酸化物の総量とタイプを計算するのに使用することができる。始動ミリボルト範囲と、時間に対してプロットされた曲線の関係は、どの物質が酸化されかの形跡とそれらのレベルを与える。そのため、接触槽は適切なコンピュータインターフェースを用いて分析器具として使用することができる。
【０１２９】
ミリボルト読取値の上昇速度は、水処理システムの全負荷を決定するのに使用することができる。ミリボルト上昇が迅速であれば（清水）、エネルギーを減少することができ、反応槽を減速し、必要でなければエネルギーを保存することができる。
【０１３０】
接触槽を通るバッチ移送により、水状態と機械性能を連続的に分析することができる。
【０１３１】
アンモニア又は亜硝酸塩のオンラインでの検出方法は現在のところ利用できない。レドックスは一般酸化ポテンシャル読みであって、高いか低いかであるので、有害なアンモニア又は亜硝酸塩を隠している。これらの物質が酸化攻撃されたときのみ、それらの容量と性質を決定することができる。この方法で耐久性のあるレドックスプローブを使用することにより、耐久性と精度のある器具を提供することができる。公知の標準（汚染物質）を用いて接触槽のキャリブレーションを容易に行うことができ、器具/機械を要求される性能レベルに設定することができる。
【０１３２】
このシステムは、スタンドアロンとすることができ、また従来のバイオフィルタを支援して、衝撃荷重又は性能不良を多くの理由で克服することができる。バイオ濾過の組み合わせは、脱窒素（硝酸塩除去）ができ、又はバイオフィルタ状態として、より経済的なバイオコロニー（賢明なエネルギー）を使用して、酸化/接触槽に対するエネルギー需要を巻き戻すことができる。
【０１３３】
使用はアンモニアと亜硝酸塩に限定されるものではなく、従来の水処理技術で破壊することがほとんど不可能であると証明されている除草、農薬汚染、有機金属ハロゲン化合物等、他の人工汚染物質にも使用できる。これらはこの新規な技術により酸化することができる。
【０１３４】
オゾンの照射は、オゾンＯ３より大きな酸化ポテンシャルを有する他の酸化種を生成することができる。また受動的なバックグランド照射は、目標種のエネルギーレベルを増加し、酸化反応に対してより敏感にさせる。
【０１３５】
処理水は、狭い帯域２５４ｎ/ｍＵＶに露出される第２チャンバを通って流出する。これは出口流れに存在するオゾンを分解し、保持システムのバイオコロニー又は製品に対する下流側での損傷を緩和する。
【０１３６】
図１０と１１で特定されている部品は以下の通りである。
１００  水オゾンＵＶ接触槽
１０２  媒体ギャップＵＶフィルタ
１０４  ベンチュリ注入器
１０７  入口水
１０８  広帯域スリーブ
１１０  外部容器
１１２  入口空気流路
１１４  出口水
１１６  水銀アルゴン広帯域ランプ
１１８  空気/乾燥空気/酸素強化空気/酸素
１２０  レドックスプローブ
１２２  循環ポンプ
１２４  循環水ループ
１２６  空気入口
１２８  スリーブ（石英広帯域）
１３０  外部容器
１３２  入口水
１３４  オゾン経路
１３６  ベンチュリ注入器
１３８  出口水
１４０  水銀アルゴンＵＶランプ
１４２  スリーブ（ビコル（Vicor;登録商標））
【０１３７】
雰囲気制御タンクコンテナ
【０１３８】
甲殻類（イガイ、牡蛎、カクレ（cackles）等）の輸送用のタンクコンテナの使用は、
湿気非溢水雰囲気制御状態で輸送脚部を走らせることで、ストリームライン化することができる。
【０１３９】
満液又は半満液のときの流体タンク取扱いの道路規則は非常に制限的である。重量超過は許されず、サイドローダの使用は禁止されている。これらにより低姿勢であってはならない。これにより点引き渡し/積み込み（point delivery/pickup）は排除される。
【０１４０】
雰囲気は酸素富化水（oxygen rich water）からなり、該酸素富化水はポイント雰囲気で飽和している。すなわち、必要なときに甲殻類が呼吸できるような「すずしい霧のような環境」である。温度はタンクコンテナの底に向かうチタンチューブにより調整され、充満（溢水）モードと空（非溢水）モード（湿潤又は乾燥）の両方での冷却ができる。既存のタンクコンテナに対する広範囲の修正は図１２と図１３に概説されている。
【０１４１】
タンクは、旅行前の地、又は輸送脚の海洋部の出発地で積み込まれた容器上で溢れさせることができる。排出点で空にされ、輸送行路の道路両端での立法規制の従うことができる。
【０１４２】
溢水モードにタンクを保持するオプションは、相当な時間、貯蔵寿命の持続効果なしにプレミアム付製品の市場を成功させるのに必要であれば何週間も、製品を保持することができる。１７,５００ｌｔタンクの使用は、乾燥又は湿潤の重量要求のいずれにも許容できる。
【０１４３】
温度は通常、製品を保存するのに最適な「生存」温度に制御されるが、タンク内の状態を危険にさらす事象が生じる場合（例えばシステム故障）、温度をセンサで検出し、（例えば）−２から−３℃に自動的に減少し、製品を実質的に生物安定状態に維持し、その保存を助成することができる。システム故障中の電力冷凍（power freezing）の使用は、どんな理由であっても、製品を海水に浸漬することにより、保証される。これにより、迅速で効率のよい海水冷凍が許容され、最悪の事態でも製品の売れ行きが維持される。
【０１４４】
これらのシステムの遠隔人工衛星監視は、容易に達成され、これによりオペレータは多くの要因によりに積荷状態を遠隔的に決定することができる。
光学画像
酸素需要
ＰＨ制御投与―二酸化炭素レベル
機械運転状態
流れ
圧力
温度
電力状態
【０１４５】
雰囲気の湿度は、水位（床下）で霧状ミストを生成する超音波変換器により提供される。酸素は外部シリンダにより調整器を介して内部雰囲気に提供される。タンクを通してのゆっくりした流出（bleed）が維持することができ、雰囲気を要求された流入設定量と流出設定量に交換することができる。
【０１４６】
タンクコンテナは水処理モジュールから分離してスタンドアローンで運転することができることに注意すべきである。
【０１４７】
生体輸送と無関係の他の２つの輸送モジュールを以下に概説する。これらは冷凍システムの新規な使用であり、水処理モジュールを必要としない。
【０１４８】
タンクコンテナで輸送困難な製品を海外に輸送するのに、液氷スラリーを使用する―「冷凍モード」。輸送困難な製品を海外に輸送するのに、液氷ゼラチンスラリーを使用する―「冷凍モード」。
【０１４９】
図１２と図１３で特定されている部品は以下の通りである。
１５０  クリップ式上荷水調整モジュール
１５２  酸素シリンダ
１５４  発電機２０ＫＶＡ
１５６  冷凍機コンデンサ
１５８  ＴＸバルブ
１６０  二重標準電力変換器及びリード/プラグ海岸/船舶電力
１６２  燃料タンク
１６４  冷凍機圧縮機
１６６  冷却チューブ
１６８  超音波蒸気システム
１７０  供給源（流入海水）
１７２  マンホール
１７４  浮動トップレベルスキマー（流出塩水）
１７６  回転分配ヘッド（流入海水）
１７８  流出塩水
１８０  床（メッシュ孔開き）
１８２  １５ｋｇポリエチレンメッシュ袋に積み重ねられた製品
１８４  床パネル（同じオーバー全域）
１８６  流出塩水（フルモード）
【０１５０】
明細書を通して、その目的は、本発明をいずれかの実施形態又は特定の特徴に限定することなく、本発明の好ましい実施形態を記載することである。したがって、当業者は
この開示に照らして、本発明の範囲から逸脱することなく、例証された特定の実施形態に種々の修正や変更を行うことができることを認めるであろう。そのような修正及び変更は本発明の範囲に含まれるように意図されている。
【図面の簡単な説明】
【０１５１】
【図１】単一のタンクコンテナと濾過システムモジュールの第１配置の側面概略図を示す図式的表現である。
【図２】第２配置の側面概略断面図を示す図示的表現であり、ここで濾過システムが２０´コンテナ又は４０´コンテナである第１外コンテナの内側に配置され、一連の第２コンテナが内部に配置されている。
【図３】図２に類似するが、第１コンテナの端部外方に濾過システムが位置する側面概略図を示す図式表現である。
【図４】図２に類似するが、さらに発電プラントを含む側面概略図を示す図式表現である。
【図５】外コンテナの内側に追加の輸送物を梱包した第２コンテナと濾過システムモジュールを梱包したリターンモードの側面概略図を示す図式表現である。
【図６】陸上輸送で、第２コンテナとともに使用する濾過システムの側面概略図を示す図式表現である。
【図７】上面にウェハー型の単一システムが搭載された単一のタンクコンテナの側面を示す図式表現である。
【図７Ａ】検査孔へのアクセスを提供する濾過システムモジュールの分布を示す図６の配置の上面概略図を示す図式表現である。
【図８】第２コンテナが中に配置された外部第１コンテナに搭載するときの図７のモジュール配置の側面概略図を示す図式表現である。
【図９】本発明の濾過システムの第１実施形態の概略図を示す図式表現である。
【図１０】アンモニアと亜硝酸塩を酸化するために媒体により包囲されたクオーツランプの図表であり、一つの横断面図と一つの縦断面を示す。
【図１１】アンモニアと亜硝酸塩を酸化するためのシステムの図表であり、一つの横断面図と一つの縦断面を示す。
【図１２】甲殻類を輸送するのに修正されたタンクコンテナの図表であり、端面図及び側面図を示す。
【図１３】図１２の修正されたタンクコンテナの他の図表であり、平面断面図及び側面断面図を示す。
【図１】
2008518637.tif 000003
【図２】
2008518637.tif 000004
【図３】
2008518637.tif 000005
【図４】
2008518637.tif 000006
【図５】
2008518637.tif 000007
【図６】
2008518637.tif 000008
【図７】
2008518637.tif 000009
【図７Ａ】
2008518637.tif 000010
【図８】
2008518637.tif 000011
【図９】
2008518637.tif 000012
【図１０】
2008518637.tif 000013
【図１１】
2008518637.tif 000014
【図１２】
2008518637.tif 000015
【図１３】
2008518637.tif 000016
【手続補正書】
【提出日】平成19年1月17日(2007.1.17)
【手続補正１】
【補正対象書類名】特許請求の範囲
【補正対象項目名】全文
【補正方法】変更
【補正の内容】
【特許請求の範囲】
【請求項１】
生きた水生有機体を輸送するためのバルク生産物輸送コンテナにおいて、前記輸送コンテナは、
（i）溢水環境を支持することができ、有機体を貯蔵する貯蔵領域と分配導管とを有し、該分配導管を介して流体が貯蔵領域に流入し有機体を通過するタンクと、
（ii）前記タンク内の温度を制御する冷凍システムと、
（iii）前記タンクからの流体を循環し濾過することができるアセンブリと、
（iv）前記タンク内の湿度を制御する湿度コントローラと
を含み、
前記コンテナは、前記貯蔵領域内で溢水環境が維持され、流体に浸漬された生きた水生有機体を持続する溢水モードと、前記貯蔵領域内で前記湿度コントローラで湿度が制御された非溢水環境が維持され、生きた水生有機体を液体レベル上で呼吸することができる状態を持続する非溢水モードとを有するバルク生産物輸送コンテナ。
【請求項２】
前記アセンブリは、紫外線源とオゾン供給源とを含み、前記オゾン供給源からのオゾンの存在と組み合わせて前記紫外線源からの紫外線放射を使用することにより、流体中の酸化可能汚染物質のレベルを減少する請求項１に記載のコンテナ。
【請求項３】
前記アセンブリは濾過装置に接続する配管を含み、前記分配導管は前記配管と流体的に連通し、前記濾過装置からの循環流体を前記タンクに供給し、溢水モードでの流体レベルを維持する請求項１又は２に記載のコンテナ。
【請求項４】
前記濾過装置はオゾン殺菌装置を含む請求項３に記載のコンテナ。
【請求項５】
有機体を溢水モードで流体レベル以下に支持し、非溢水モードで流体レベル以上に保持するサポートを含む請求項３又は４に記載のコンテナ。
【請求項６】
前記サポートはラック構造の形態であり、前記冷凍システムは前記ラック構造の下方に位置する冷却要素を含む請求項５に記載のコンテナ。
【請求項７】
前記分配導管は溢水状態と非溢水状態の両方で、流体レベル以下に位置する１又はそれ以上のノズルを介して流体を前記タンクに供給する請求項５又は６に記載のコンテナ。
【請求項８】
前記各ノズルは回転可能な分配ヘッドの形態である請求項７に記載のコンテナ。
【請求項９】
前記湿度コントローラは、非溢水モードで前記タンク内に湿気を提供する蒸気システムを含む請求項１から８のいずれかに記載のコンテナ。
【請求項１０】
前記蒸気システムは非溢水モードで流体レベル又はその近傍に配置された超音波変換器である請求項９に記載のコンテナ。
【請求項１１】
前記タンクは前記タンクの出口に接続された上昇管を含み、前記上昇管は流体が所定のレベルから出口を通って前記タンクを出て、溢水モードでの流体レベルを調整する請求項１から１０のいずれかに記載のコンテナ。
【請求項１２】
前記タンクの出口は前記濾過装置と接続するために出口配管と流体的に連通している請求項１１に記載のコンテナ。
【請求項１３】
前記濾過装置は前記アセンブリの一部を形成する請求項３、又は請求項３に従属するときの請求項４から１２のいずれかに記載のコンテナ。
【請求項１４】
前記濾過装置は前記配管に接続するように配置された分離した装置である請求項３、又は請求項３に従属するときの請求項４から１２のいずれかに記載のコンテナ。
【請求項１５】
前記濾過装置はバイオ濾過装置を含む請求項１３又は１４に記載のコンテナ。
【請求項１６】
前記タンクは食品安全ライニングが設けられたタンクコンテナの形態である請求項１から１５のいずれかに記載のコンテナ。
【請求項１７】
前記タンクは前記濾過装置と接続するように配置された既存の入口と出口を備えたタンクコンテナの形態である請求項３に従属するときの請求項１６に記載のコンテナ。
【請求項１８】
前記タンク内の環境に悪影響を与えることができる事象を検出し、前記冷凍システムを制御して前記タンク内の温度を通常レベルから持続する低温度レベルに減少し、前記生産物の保存を助成する制御システムを含む請求項１から１７のいずれかに記載のコンテナ。
【請求項１９】
前記冷凍装置は２つの範囲で動作するようにされ、その一つは前記水生有機体の通常生存温度を維持することであり、他は前記水生有機体を実質的に生物安定状態に維持することである請求項１から１８のいずれかに記載のコンテナ。
【請求項２０】
前記コンテナの外寸法は輸送コンテナの規制基準内にある請求項３、又は請求項３に従属するときの請求項４から１９のいずれかに記載のコンテナ。
【請求項２１】
前記濾過装置はさらに前記タンクと前記コンテナの外寸法との間に適合する寸法にされている請求項２０に記載のコンテナ。
【請求項２２】
請求項１から２１のいずれかに記載のコンテナのタンクに接続するようにされた濾過装置。
【請求項２３】
タンク内の環境を維持し、生きた水生有機体を持続させる濾過システムを含む輸送タンクにおいて、前記濾過システムは、
（i）前記タンクから水を導く出口と、
（ii）前記出口と流体的に連通しそこを通過する水を濾過するようにされた濾過装置と、
（iii）前記出口及び濾過装置と流体的に連通し、前記濾過装置を通過する水を循環し、前記タンクに戻すようにされたポンプと、
（iv）前記出口、前記濾過装置及び前記ポンプと流体的に接続し、水を前記タンクに戻すように形成された入口と
からなり、
前記タンクは、前記タン内で溢水環境が維持され、水に浸漬された生きた水生有機体を持続する溢水モードと、前記タンク内で前記湿度コントローラで湿度が制御された非溢水環境が維持され、生きた水生有機体を水レベル上で呼吸することができる状態を持続する非溢水モードとを有する輸送タンク。
【請求項２４】
前記分配導管は前記入口と流体的に連通し、前記濾過装置からの濾過された水を前記タンクに供給し、溢水モードでの水位を維持する請求項２３に記載のタンク。
【請求項２５】
前記分配導管は、溢水モードと非溢水モードの両方で、水位以下に位置する１又はそれ以上のノズルを介して前記タンクに水を供給する請求項２４に記載のタンク。
【請求項２６】
前記各ノズルは回転可能な分配ヘッドの形態である請求項２５に記載のタンク。
【請求項２７】
有機体を溢水モードで水レベル以下に支持し、非溢水モードで水レベル以上に保持するサポートを含む請求項２３から２６のいずれかに記載のタンク。
【請求項２８】
前記湿度コントローラは、非溢水モードで前記タンク内に湿気を提供する蒸気システムを含む請求項２３から２７のいずれかに記載のタンク。
【請求項２９】
前記蒸気システムは非溢水モードで水レベル又はその近傍に配置された超音波変換器である請求項２８に記載のタンク。
【請求項３０】
前記出口に接続された上昇管を含み、前記上昇管は水が所定のレベルから出口を通って前記タンクを出て、溢水モードでの水レベルを調整する請求項２３から２９のいずれかに記載のタンク。
【請求項３１】
前記濾過装置はバイオフィルタを含む請求項２３から３０のいずれかに記載のタンク。
【請求項３２】
前記濾過システムは前記タンクに戻された水の毒性を処理するオゾンユニットを含む請求項２３から３１のいずれかに記載のタンク。
【請求項３３】
前記オゾンユニットはランプと、該ランプの出力を濾過するランプフィルタとからなる請求項３２に記載のタンク。
【請求項３４】
前記タンクは前記オゾンユニットの動作を制御するために水の性質を検知するセンサを含む請求項３２又は３３に記載のタンク。
【請求項３５】
前記センサは前記タンクを遠隔的に監視するために前記水の性質に関するデータを提供するようにされている請求項３４に記載のタンク。
【請求項３６】
前記センサはレドックスプローブである請求項３４又は３５に記載のタンク。
【請求項３７】
前記タンクは前記タンク内の水を前記水生有機体を実質的に生物安定状態に維持するのに十分低い温度まで冷却する冷凍ユニットを含む請求項２３から３６のいずれかに記載のタンク。
【請求項３８】
前記サポートはラック構造の形態であり、前記冷凍システムは前記ラック構造の下方に位置する冷却要素を有する請求項２７に従属するときの請求項３７に記載のタンク。
【請求項３９】
前記温度は０℃と−３℃の間の範囲内である請求項３７又は３８に記載のタンク。
【請求項４０】
前記タンクの内側表面は、清水及び/又は海水を安全に収容するのに適したコーティングを有する請求項２３から３９のいずれかに記載のタンク。
【請求項４１】
前記タンクは標準２０′輸送コンテナの寸法に従って寸法が決められている請求項２３から４０のいずれかに記載のタンク。
【請求項４２】
前記タンクは前記タンク内の酸素レベルを制御するための酸素制御が設けられている請求項２３から４１のいずれかに記載のタンク。
【請求項４３】
請求項２３から４２のいずれかに記載のタンクととともに使用する濾過システムであって、前記濾過システムは、前記タンクに隣接し又は少なくともそれに近接するように寸法が決められ、前記タンク及び濾過システムが組み合わせて標準２０′輸送コンテナの寸法内に入るように寸法が決められている濾過システム。
【請求項４４】
生きた水性有機体を貯蔵する方法において、
（i）輸送コンテナのタンクに生きた水性有機体を収容し、
（ii）前記タンク内の湿度を湿度コントローラを用いて制御し、
（iii）前記タン内で溢水環境が維持され、水に浸漬された生きた水生有機体を持続する溢水モードで、前記コンテナを選択的に動作させ、
（iv）前記タンク内で前記湿度コントローラで湿度が制御された非溢水環境が維持され、生きた水生有機体を水レベル上で呼吸することができる状態を持続する非溢水モードで、前記コンテナを選択的に動作させる、
行程を含む生きた水性有機体を貯蔵する方法。
【請求項４５】
生きた水性有機体を貯蔵する方法において、
（i）タンクに生きた水性有機体を収容し、
（ii）前記タンクからの水を濾過アセンブリを通して濾過し、
（iii）前記濾過アセンブリを通して濾過された水を前記タンクに循環し、
（iv）前記タン内で溢水環境が維持され、水に浸漬された生きた水生有機体を持続する溢水モードで、前記タンクを選択的に動作させ、
（v）前記タンク内で湿度が制御された非溢水環境が維持され、生きた水生有機体を水レベル上で呼吸することができる状態を持続する非溢水モードで、前記タンクを選択的に動作させる、
行程を含み、
前記タンクからの水は、溢水モードと非溢水モードの両方で、連続的に循環され、前記濾過アセンブリを通して濾過される、生きた水性有機体を貯蔵する方法。
【請求項４６】
生きた水性有機体のための濾過システムにおいて、
（i）溢水環境を支持することができ、有機体を貯蔵する貯蔵領域と分配導管とを有し、該分配導管を介して流体が貯蔵領域に流入し有機体を通過するタンクと、
（ii）前記タンクからの流体を循環し濾過することができるアセンブリと、
を含み、
前記濾過システムは、前記貯蔵領域内で溢水環境が維持され、流体に浸漬された生きた水生有機体を持続する溢水モードと、前記貯蔵領域内で湿度が制御された非溢水環境が維持され、生きた水生有機体を液体レベル上で呼吸することができる状態を持続する非溢水モードとを有し、
前記アセンブリは、溢水モードと非溢水モードの両方で、前記貯蔵領域からの流体を連続して循環し濾過するようにされている、濾過システム。
【請求項４７】
生きた水性有機体を貯蔵する方法において、
（i）タンク内の水に生きた水性有機体を収容し、
（ii）前記タンクからの水をフィルタを通して濾過し、
（iii）濾過した水をタンクに戻す、
行程を含み、
前記水を濾過する行程は、オゾンの存在と組み合わせた紫外線照射を使用し、前記水の酸化可能な汚染物質のレベルを減少する行程を含む、生きた水性有機体を貯蔵する方法。
【請求項４８】
前記酸化可能な汚染物質はアンモニアである請求項４７に記載の方法。
【請求項４９】
前記フィルタのチャンバにオゾンを注入し、該オゾンを紫外線放射に曝す行程と、前記チャンバを通過する水の流量を制御し、水のレドックス率（redox rating）を維持する行程をさらに含む請求項４７又は４８に記載の方法。
【請求項５０】
紫外線放射からのエネルギーがアンモニアに吸収されるように、またアンモニアを酸化して硝酸塩にすることができる環境をフィルタ内に提供するためにオゾンが分解されるように、ある周波数レベルで紫外線放射を行う行程を含む請求項４８に記載の方法。
【請求項５１】
前記紫外線放射は、酸素からオゾンを生成する第１周波数レベルで行われる請求項４７から５０のいずれかに記載の方法。
【請求項５２】
前記紫外線放射は、オゾンを酸素に分解する第２周波数レベルで行われる請求項５１に記載の方法。
【請求項５３】
前記第１周波数レベルは約１５０から２００ｎｍであり、前記第２周波数レベルは約２００から２８０ｎｍである請求項５２に記載の方法。
【請求項５４】
水中の特定の酸化可能汚染物質を目標とするために前記紫外線放射の周波数を制御する行程をさらに含む請求項４７から５３のいずれかに記載の方法。
【請求項５５】
前記コンテナ内のレドックスレベル（redox level）が生きた水性有機体に危険なレベルに増加するのを回避するようにオゾンを分解するために、前記フィルタを流出する水を約２５４ｎｍの紫外線放射に曝す行程をさらに含む請求項４７から５４のいずれかに記載の方法。
【請求項５６】
生きた水性有機体のための濾過システムにおいて、
（i）溢水環境を支持することができ、有機体を貯蔵する貯蔵領域と分配導管とを有し、該分配導管を介して流体が貯蔵領域に流入し有機体を通過するタンクと、
（ii）前記タンクからの流体を循環し濾過することができるアセンブリと、
を含み、
前記アセンブリは、紫外線源とオゾン供給源を含み、前記オゾン供給源からのオゾンの存在と組み合わせた前記紫外線源からの紫外線放射を使用して、流体中の酸化可能な汚染物質のレベルを減少する、濾過システム。
【手続補正２】
【補正対象書類名】明細書
【補正対象項目名】全文
【補正方法】変更
【補正の内容】
【発明の詳細な説明】
【技術分野】
【０００１】
本発明は水性生物を輸送する配置に関する。さらに詳しくは、本発明はコンテナ内の輸送媒体の品質を維持する制御モジュールに関する。制御モジュールは好ましくは濾過システムを形成する。本発明は海産物を輸送する１又は複数のコンテナと動作的に関連した濾過システムを含むシステムにも広がる。本発明は排他的ではないが特に生鮮海産物を船、鉄道、道路輸送により生産地域から市場に輸送するシステムに向けられている。市場は地方、州間、国際であってもよい。好ましくは、濾過システムは１又は複数の媒体コンテナと可逆的に連結可能であり、内蔵型である
【背景技術】
【０００２】
この明細書において従来技術を参照することは、これらの従来技術がいかなる国においても一般常識の一部を形成するといった知識や提案ではないし、そのように解釈されるべきではない。
【０００３】
海産物は栄養分や高品質のタンパク源の例示的な一般的な形態である。この明細書では、「海産物」の表現は、海と淡水の両方の種類、特に人類が消費するように意図された食用動物種に拡大するように理解される。海産物は惑星中で仮想的に偏在的に需要がある。しかしながら、この形態の栄養物は、特に水産養殖事業を介して生産されるときは、取得するのが比較的高価である。また海産物は一旦死なせると、冷凍しない限り、貯蔵寿命が限定される。しかしながら、冷凍は少なくともある程度消費製品の品質が損なわれると一般に考えられている。この結果、生鮮海産物は市場で最も貴重とされ、入手するときにはプレミアムがつく。
【０００４】
生きた海産物を相当な距離まで輸送する種々のシステムが開発されている。しかしながら、一般に、著しい距離が必要となるや否や、製品の生存及びむしろ健康的な生存に適した環境状態を維持するのに相当な数の問題に遭遇する。輸送コンテナに収容された固体の死が始まると、全固体が死んだり、コンテナの積荷が汚染されたとして不良品となる危険性が大いに生じる。委託貨物が完全には失われないとしても、利益が減少し又は排除されるとともに、コンテナの内容物の品質が市場で下落する。
【０００５】
死の危険性を減らすために、輸送時間を最小にすることが試みられている。これには通常、航空機でコンテナを輸送する必要性が生じるが、これは現在まで国際商取引では必須である。生産/輸送業者は積荷に高い航空運賃を支払うが、その運賃はコンテナ、濾過装置、関連機械、最も典型的には水の重量が支配的である。これは製品の最終価格を必然的につりあげ、高い諸経費により魅力と競争力を減少する。輸送業者はコンテナを海産物生産地域に戻すという問題が残っており、さらに運営経費が増加する。
【０００６】
システムが輸送中の海産物の生存時間を増加することができれば有利である。既存の及び/又は修正した輸送コンテナのような輸送手段を使用することで、海上、鉄道及び/又は陸上輸送による生きた海産物を輸送するのに十分な生存時間を増加することができれば有利である。
【０００７】
現在まで、一つのコンテナの流体取扱い容量は約２６，０００リッター又は重量２６千トン相当である。３ドル/ｋｇの公称費用でこの容量の水の航空運賃は７５，０００ドルを超える。海上輸送費は、仕向地及び市場の効率に依存するが、これらの約５％〜１０％となる。
【発明の開示】
【０００８】
この明細書を通して、前後関係が他のことを要求しない限り、「含む」、「からなる」、「からなっている」の用語は、言及された要素又は整数あるいは要素又は整数の群を含むが、他の要素又は整数あるいは要素又は整数の群を除くものではないと理解されるべきである。
【０００９】
本発明の一つの局面によると、生きた水生有機体を輸送するためのバルク生産物輸送コンテナにおいて、前記輸送コンテナは、
（i）溢水環境を支持することができ、有機体を貯蔵する貯蔵領域と分配導管とを有し、該分配導管を介して流体が貯蔵領域に流入し有機体を通過するタンクと、
（ii）前記タンク内の温度を制御する冷凍システムと、
（iii）前記タンクからの流体を循環し濾過することができるアセンブリと、
（iv）前記タンク内の湿度を制御する湿度コントローラと
を含み、
前記コンテナは、前記貯蔵領域内で溢水環境が維持され、流体に浸漬された生きた水生有機体を持続する溢水モードと、前記貯蔵領域内で前記湿度コントローラで湿度が制御された非溢水環境が維持され、生きた水生有機体を液体レベル上で呼吸することができる状態を持続する非溢水モードとを有するバルク生産物輸送コンテナが提供されている。
【００１０】
本発明の他の局面によると、タンク内の環境を維持し、生きた水生有機体を持続させる濾過システムを含む輸送タンクにおいて、前記濾過システムは、
（i）前記タンクから水を導く出口と、
（ii）前記出口と流体的に連通しそこを通過する水を濾過するようにされた濾過装置と、
（iii）前記出口及び濾過装置と流体的に連通し、前記濾過装置を通過する水を循環し、前記タンクに戻すようにされたポンプと、
（iv）前記出口、前記濾過装置及び前記ポンプと流体的に接続し、水を前記タンクに戻すように形成された入口と
からなり、
前記タンクは、前記タン内で溢水環境が維持され、水に浸漬された生きた水生有機体を持続する溢水モードと、前記タンク内で前記湿度コントローラで湿度が制御された非溢水環境が維持され、生きた水生有機体を水レベル上で呼吸することができる状態を持続する非溢水モードとを有する輸送タンクが提供されている。
【００１１】
本発明のさらに他の局面によると、生きた水性有機体を貯蔵する方法において、
（i）輸送コンテナのタンクに生きた水性有機体を収容し、
（ii）前記タンク内の湿度を湿度コントローラを用いて制御し、
（iii）前記タン内で溢水環境が維持され、水に浸漬された生きた水生有機体を持続する溢水モードで、前記コンテナを選択的に動作させ、
（iv）前記タンク内で前記湿度コントローラで湿度が制御された非溢水環境が維持され、生きた水生有機体を水レベル上で呼吸することができる状態を持続する非溢水モードで、前記コンテナを選択的に動作させる、
行程を含む生きた水性有機体を貯蔵する方法が提供されている。
【００１２】
本発明のさらに他の局面によると、生きた水性有機体を貯蔵する方法において、
（i）タンクに生きた水性有機体を収容し、
（ii）前記タンクからの水を濾過アセンブリを通して濾過し、
（iii）前記濾過アセンブリを通して濾過された水を前記タンクに循環し、
（iv）前記タン内で溢水環境が維持され、水に浸漬された生きた水生有機体を持続する溢水モードで、前記タンクを選択的に動作させ、
（v）前記タンク内で湿度が制御された非溢水環境が維持され、生きた水生有機体を水レベル上で呼吸することができる状態を持続する非溢水モードで、前記タンクを選択的に動作させる、
行程を含み、
前記タンクからの水は、溢水モードと非溢水モードの両方で、連続的に循環され、前記濾過アセンブリを通して濾過される、生きた水性有機体を貯蔵する方法が提供されている。
【００１３】
本発明のさらに他の局面によると、生きた水性有機体のための濾過システムにおいて、
（i）溢水環境を支持することができ、有機体を貯蔵する貯蔵領域と分配導管とを有し、該分配導管を介して流体が貯蔵領域に流入し有機体を通過するタンクと、
（ii）前記タンクからの流体を循環し濾過することができるアセンブリと、
を含み、
前記濾過システムは、前記貯蔵領域内で溢水環境が維持され、流体に浸漬された生きた水生有機体を持続する溢水モードと、前記貯蔵領域内で湿度が制御された非溢水環境が維持され、生きた水生有機体を液体レベル上で呼吸することができる状態を持続する非溢水モードとを有し、
前記アセンブリは、溢水モードと非溢水モードの両方で、前記貯蔵領域からの流体を連続して循環し濾過するようにされている、濾過システムが提供されている。
【００１４】
本発明のさらに他の局面によると、生きた水性有機体を貯蔵する方法において、
（i）タンク内の水に生きた水性有機体を収容し、
（ii）前記タンクからの水をフィルタを通して濾過し、
（iii）濾過した水をタンクに戻す、
行程を含み、
前記水を濾過する行程は、オゾンの存在と組み合わせた紫外線照射を使用し、前記水の酸化可能な汚染物質のレベルを減少する行程を含む、生きた水性有機体を貯蔵する方法が提供されている。
【００１５】
本発明のさらに他の局面によると、生きた水性有機体のための濾過システムにおいて、
（i）溢水環境を支持することができ、有機体を貯蔵する貯蔵領域と分配導管とを有し、該分配導管を介して流体が貯蔵領域に流入し有機体を通過するタンクと、
（ii）前記タンクからの流体を循環し濾過することができるアセンブリと、
を含み、
前記アセンブリは、紫外線源とオゾン供給源を含み、前記オゾン供給源からのオゾンの存在と組み合わせた前記紫外線源からの紫外線放射を使用して、流体中の酸化可能な汚染物質のレベルを減少する、濾過システムが提供されている。
【００１６】
あるバルク生産物輸送コンテナは、湿潤環境を支持することができ、生産物を貯蔵する貯蔵領域と分配導管とを有し、該分配導管を介して流体が貯蔵領域に流入し生産物を通過するタンクと、前記タンク内の温度を制御する冷凍システムと、前記タンクからの流体を循環し濾過することができるアセンブリと、を含む。
【００１７】
好ましくは、前記アセンブリは濾過装置を含む。前記濾過装置はバイオ濾過ユニット及び/又はオゾン殺菌ユニットを含んでもよい。
【００１８】
好ましくは、前記アセンブリは前記濾過装置の出口を前記分配導管に接続する配管を含む。さらに好ましくは、前記タンクは前記濾過装置の入口に接続された出口を含む。好ましくは、前記タンクは溢水するようにされている。好ましくは、前記タンクは前記出口に接続された上昇管を含み、前記上昇管は流体が所定のレベルから前記出口を通ってタンクを出るのを許容する。
【００１９】
前記タンクは前記生産物を支持するラック構造を含む。好ましくは、前記分配導管は前記ラック構造の下方に位置している。好ましくは、前記分配導管は回転可能な分配ヘッドに接続されている。
【００２０】
好ましくは、前記冷凍システムは前記ラック構造の下方に位置する冷却要素を含む。タンクが溢水状態（水位がラック構造の上方にある）のときと非溢水状態（水位がラック構造の下方にある）のときの両方で、冷却要素を水に浸漬することができることが有利である。
【００２１】
好ましくは、前記タンクは食品安全ライニングが設けられたタンクコンテナの形態である。さらに好ましくは、前記タンクは前記濾過装置と接続するように配置された既存の入口と出口を備えたタンクコンテナの形態である。
【００２２】
好ましくは、前記生産物は水生有機体で形成され、前記冷凍装置は２つの範囲で動作するようにされ、その一つは前記水生有機体の通常生存温度を維持することであり、他は前記水生有機体を実質的に生物安定状態に維持することである。
【００２３】
好ましくは、前記コンテナの外寸法は輸送コンテナの規制基準内にある。さらに好ましくは、前記濾過装置はさらに前記タンクと前記コンテナの外寸法との間に適合する寸法にされている。
【００２４】
他の局面では、前記コンテナのタンクに接続するようにされた濾過装置が提供されている。
【００２５】
さらに他の局面では、タンク内の環境を維持し、生きた水生有機体を持続させる濾過システムを含む輸送タンクにおいて、前記濾過システムは、前記タンクから水を導く出口と、前記出口と流体的に連通しそこを通過する水を濾過するようにされた濾過装置と、前記出口及び濾過装置と流体的に連通し、前記濾過装置を通過する水を循環し、前記タンクに戻すようにされたポンプと、前記出口、前記濾過装置及び前記ポンプと流体的に接続し、水を前記タンクに戻すように形成された入口と、からなる輸送タンクが提供されている。
【００２６】
好ましくは、前記濾過装置はバイオフィルタを含む。好ましくは、前記濾過システムは前記タンクに戻された水の毒性を処理するオゾンユニットを含む。さらに好ましくは、前記オゾンユニットはランプと、該ランプの出力を濾過するランプフィルタとからなる。前記タンクは前記オゾンユニットの動作を制御するために水の性質を検知するセンサを含んでいてもよい。好ましくは、前記センサは前記タンクを遠隔的に監視するために前記水の性質に関するデータを提供するようにされている。ある形態では、前記センサはレドックスプローブである。
【００２７】
好ましくは、前記タンクは前記タンク内の水を前記水生有機体を実質的に生物安定状態に維持するのに十分低い温度まで冷却する冷凍ユニットを含む。前記温度は０℃と−３℃の間の範囲内であってもよい。
【００２８】
好ましくは、前記タンクの内側表面は、清水及び/又は海水を安全に収容するのに適したコーティングを有する。
【００２９】
好ましくは、前記タンクは標準２０′輸送コンテナの寸法に従って寸法が決められている。
【００３０】
好ましくは、前記タンクは、前記有機体が水に浸漬される溢水状態と、前記有機体が水位より上に維持される非溢水状態とを有するように配置されている。好ましくは、前記タンクは、溢水状態と非溢水状態の両方で前記タンク内の温度を制御するために前記タンク内に温度要素を有する。前記温度要素は１又はそれ以上のロッドの形態であってもよい。
【００３１】
好ましくは、前記タンクは、前記タンクが非溢水状態にあるときに海産物を水位上に支持する海産物サポートを備えている。さらに好ましくは、前記サポートは、溢水状態と非溢水状態の両方において前記温度要素が水に浸漬されるように前記温度要素に関連して配置されている。
【００３２】
好ましくは、前記タンクは前記タンク内の湿度を制御するための湿度制御が設けられている。好ましくは、前記タンクは前記タンク内の酸素レベルを制御するための酸素制御が設けられている。
【００３３】
前記タンクは開口を有する水出口導管が設けられ、前記開口は、該開口のレベルに水位が調整されるように配置されていてもよい。
【００３４】
他の局面では、前記輸送タンクととともに使用する濾過システムであって、前記濾過システムは、前記タンクに隣接し又は少なくともそれに近接するように寸法が決められ、前記タンク及び濾過システムが組み合わせて標準２０′輸送コンテナの寸法内に入るように寸法が決められている。
【００３５】
海産物輸送コンテナとともに使用する濾過システムは、
（i）前記コンテナから水を導くための１又はそれ以上の出口パイプと、
（ii）前記１又はそれ以上の出口パイプと流体的に連通し、そこを通過する水を濾過するようにされた１又はそれ以上のフィルタと、
（iii）前記１又はそれ以上の出口パイプ及び前記１又はそれ以上のフィルタと流体的に連通し、前記濾過システムを通過する水を循環し、前記コンテナに戻す１又はそれ以上のポンプと、
（iv）前記１又はそれ以上の出口パイプ、前記１又はそれ以上のフィルタ、及び前記１又はそれ以上のポンプと流体的に連通し、水を前記コンテナに戻るように形成された１又はそれ以上のタンク入口パイプとからなり、
前記１又はそれ以上のフィルタはプラスチックフィルタからなる濾過システム。
【００３６】
好ましくは、プラスチックフィルタは自己洗浄クラッチディスク型フィルタからなる。フィルタは好ましくは約１０ミクロン以上の径の粒子を濾過するようにされている。２つの分離したディスク配置がフィルタシステムに設けられることが好ましい。ディスク型フィルタは、圧縮モードで、互いに挟まれたときに１０ミクロンまでの粒状物質の濾過を許容するようにされている。プラスチックの性質により、タンパク質及び他の廃棄物質をプレートに引き付ける（かす状沈殿物）。開放洗浄モードでは、プレートは僅かに離隔され、第２水/圧縮空気源から回転され、接線方向に加えられる噴流による圧力で旋回し、噴流（１２０psi）水空気混合を過ぎて回転し、洗浄を促進する。この装置は、商業的に入手可能な多数の部品からなるが、異なる洗浄/動作システムで配置されている。
【００３７】
濾過システムはフィルタを洗浄する洗浄手段を含んでいてもよい。洗浄手段は加圧液体供給手段からなっていてもよい。加圧液体供給手段は、加圧液体及び/又はガス供給源を備えてもよい。ガスは空気であってもよい。液体供給源は水を備えてもよい。水は清水であってもよい。洗浄手段は液体を加圧する洗浄ポンプを含んでいてもよい。
【００３８】
濾過システムは、コンテナと係合するモジュール又はモジュールシステムとして形成されることが好ましい。モジュールはフィルタシステムの少なくとも幾つかの要素を支持するフレームで形成されてもよい。
【００３９】
モジュールは、輸送コンテナの端に搭載するようにされてもよい。代案として、モジュールは、コンテナの上面又は側面に搭載するようにされてもよい。モジュールは、好ましくは長さ、幅、広さ、幅で形成され、ここで幅は他の２つの寸法より実質的に小さく、これにより低姿勢（low profile）又はウェハ効果を形成する。
【００４０】
輸送コンテナはタンクコンテナのような単一のコンテナであってもよい。代案として、コンテナは２又はそれ以上の離散した第２コンテナからなっていてもよい。第２コンテナは第１外コンテナの内側に配置されてもよい。
【００４１】
モジュールは、輸送用に取り外せるように、コンテナに好ましくは可逆的に、より好ましくは容易に可逆的にコンテナに搭載される。
【００４２】
フィルタシステムはさらに第２フィルタ手段を有していてもよい。第２フィルタ手段は、１又はそれ以上のバイオフィルタからなっていてもよい。各バイオフィルタは１又はそれ以上の上昇カラム型容器（updraught column style enclosure）からなっていてもよい。容器は焼結ガラス及び/又は微細貝殻砂粒（shell grit）を収容してもよく、またさらに浮遊排気物質を除去するスキマー手段（skimmer means）を組み込んでもよい。さらに好ましくは、５つの上昇カラム容器が設けられるが、数は必要に応じて変更してもよい。上昇カラムは頂部と底部の一方又は両方でアクセスを設けるように形成されてもよい。第２フィルタ手段はフィルタシステムの流路のオプションであるループに配置してもよい。オプションのループはバイパスループであってよい。又は、オプションループとバイパスループの組み合わせは、コンテナからの水の流れに対して選択してもよい。フィルタシステムは、空気を１又はそれ以上のバイオフィルタカラムに注入するための空気注入手段を都合よく含んでいてもよい。
【００４３】
フィルタシステムはバイオフィルタカラムからの浮遊廃棄物質を除去するスキマー廃棄物質除去手段を含んでいてもよい。スキマー廃棄物質除去手段は、浮遊廃棄物質をフィルタカラムから外方に押しやるように設計された空気流出配置からなっていてもよい。
【００４４】
フィルタシステムは、さらにフィルタシステムを通って循環する水の温度を低下する冷却手段をさらに組み込んでもよい。冷却手段は熱交換器からなっていてもよい。
【００４５】
フィルタ手段は、さらにフィルタシステムを通過する水の温度を増加する加熱手段からなっていてもよい。フィルタ手段はさらに都合よく１又はそれ以上の加熱要素からなっていてもよい。加熱要素はチタン被覆要素であってもよい。さらに好ましくは、３つの独立したチタン被覆要素がフィルタシステムに設けられている。
【００４６】
フィルタシステムはさらにフィルタシステムを通過する水の微生物集団を減少する殺菌手段からなっていることが都合がよい。
【００４７】
殺菌手段は紫外線殺菌配置からなっていてもよい。紫外線殺菌配置は、フィルタシステムを通って流れるコンテナ流体を照射するように配置された２５４ナノメータ殺菌低圧チューブからなり、又はそれを含んでいてもよい。低圧チューブは高透明性粒状石英スリーブを有していてもよい。
【００４８】
ポンプ手段は好ましくは２つの分離した独立ポンプを含んでいてもよい。ポンプは毎時約３０，０００リッターの容量を有していてもよい。
【００４９】
フィルタシステムは、さらにフィルタシステムの機能を制御する制御手段からなっていてもよい。制御手段はプログラマブル制御手段からなっていてもよく、好ましくはプログラマブルロジックコントローラを含む。プログラマブルロジックコントローラは、好ましくはポンプ速度、水流量、温度制御、洗浄サイクルのような関連機能を制御し、異常及び/又は損傷状態を検出し、警報表示を提供するようにプログラムされている。
【００５０】
フィルタシステムはさらに電力供給手段からなっていてもよい。電力供給手段は主電源のような外部電源からの電力の入力手段を有していてもよい。好ましくは、又は付加的に、電力供給手段は、電流を生成する発電手段を含む。発電手段は発電機、好ましくはディーゼル発電機からなっていてもよい。発電機は約１５Ｋｖａを提供してもよい。
【００５１】
フィルタシステムは好ましくはさらにまた水供給手段を有する。水供給手段は、ディスクを洗浄しまた他の洗浄動作に使用する清水又は塩水供給手段であってもよい。これは貯蔵タンクとポンプ配置を含む。ポンプ配置は流体及び/又は圧縮ガスを供給するポンプを含んでいてもよい。
【００５２】
好ましくは、フィルタシステムはフレームを組み込み、該フレームに支持されている。フレームはアルミニウム、その他の適切な金属、又は重合材料のような非腐食性材料から形成されてもよい。フレームはコンテナに固定するための固定手段を含んでもよい。
【００５３】
フィルタシステムの湿潤表面は好ましくは耐食性材料から形成される。耐食性材料はポリ塩化ビニルのようなプラスチック材料であってもよい。代案として又は付加的に、耐食性材料はチタンのような金属からなっていてもよい。
【００５４】
コンテナは前述したような付着フィルタシステムを備えていてもよい。
【００５５】
生きた海産物のための輸送コンテナとフィルタシステムを提供する方法は、プラスチックフィルタ部材をフィルタシステム流路に配置するステップを有する。好ましくは、この方法は、ツイン自己洗浄クラッチディスク型フィルタ配置を流路に固定することからなり、ここでツインフィルタシステムは独立しており、一緒に及び/又は代案として選択可能である。
【００５６】
前記方法は、さらにフィルタ配置を清掃する自動清掃手段を提供することを含む。自動清掃手段は水及び/又はガスのような加圧流体を提供ように適合されている。ガスは空気であってもよい。
【００５７】
前記方法はさらに、フィルタシステムを通って流れる水をさらに濾過する１又はそれ以上のバイオフィルタカラムを提供するステップを有する。前記方法はさらに、加圧空気を１又はそれ以上のバイオフィルタカラムに提供する空気注入配置を提供することを組み込んでもよい。
【００５８】
スキマー配置は異物を除去する空気流出手段（air bleed means）を含んでもよい。前記方法はさらに、電力をシステムのポンプ配置に提供するステップを含んでもよい。前記方法はさらに、システムを通過する水を加熱及び/又は冷却すること、及びＵＶ殺菌器のような抗菌手段により水を処理することを含む。
【００５９】
前記方法は、フィルタシステムをコンテナの端に搭載することを含んでもよい。コンテナは単一のコンテナ要素からなっていてもよい。代案として、複数の分離した第２コンテナが設けられてもよく、それは独立していてもよいし、または第１外コンテナの内側に配置されてもよい。前記方法はさらに、動作しないときに、フィルタシステムと第２コンテナを輸送のために第１コンテナの内側に収容するようにすることを含む
【００６０】
生きた海産物を輸送する方法は、生きた海産物を前記に規定された付着フィルタシステムからなる海産物輸送コンテナに設置することと、コンテナを目的地に輸送することからなる。好ましくは、コンテナの輸送は航空、道路、鉄道又は海上のいずれか一つ又はそれ以上による。
【発明を実施するための最良の形態】
【００６１】
本発明のより良い理解のために、添付図面を参照して、好ましい実施形態を例示として詳細に説明する。
【００６２】
本発明は、既存のコンテナインフラと新規な濾過システムを介して、漁師、海洋牧場主、生もの提供者と市場を結びつける非常に多くの利点を提供し、大量の塩水及び清水を輸送する安価なシステムを提供する。このシステムは、熱帯又は寒冷地で清水と塩水の両方に使用することができる。これはコンパクトで、フォークリフトやリフトアーム（hiablift arm）により操作することができる。濾過システムは、例えば１０,０００リッターから２６,０００リッターの容量の２２６０２０′タンクコンテナと関連して動作するように設計されている。これらのタンクコンテナは通常食品用材料で形成され、大量の液体の取扱いに使用されている。これらは、従来の空輸に比べて相当に費用を節約し、陸上、海上、鉄道により多量の生鮮品を輸送する大きくて有効な手段を構成している。一つの実施形態では、本発明のユニットは、既存のタンク保持システムの容量を増大する独立型の付属システムとしても使用することができるし、フレキシブル継手及びワンピース構造により、有効にかつ迅速に設置され運転されるように適合させてもよい。
【００６３】
図１を参照すると、濾過システムモジュール１１とタンクコンテナ１２からなる濾過システム及びコンテナの配置１０がみられる。タンクコンテナ１２は単一のコンテナであり、濾過モジュール１１と流体的に接続している。濾過システム１１は任意の動力源で駆動してもよいが、好ましくは電源を備え、さらに好ましくは三相電源である。タンクコンテナは１００００リッターから２６０００リッターの容量のＩＳＯ２０′（２０フィート）タンクコンテナとして形成されるのが都合がよい。上部アクセス開口１４は、運転中のタンクコンテナの検査や総合メンテナンスを許容するために設けられている。
【００６４】
ディスク型フィルタは、互いに挾まれたときに１０ミクロンまでの特定の物質を濾過することができるように、圧縮状態にある。プラスチックの性質により、タンパク質やその他の廃棄物をプレートに引きつける（かす状堆積物）。開放洗浄モードでは、プレートは僅かに分離されて、第２水/圧縮空気源から回転し、接線方向に付与される噴流による圧力で旋回し、噴流気水混合物を過ぎて回転し、洗浄を促進する。この設備は、多数商業的に入手可能な部品からなるが、異なる洗浄/動作システムで配置されている。
【００６５】
ある製造者はディスクとスプラインを供給する。このスプラインはその後に中央制御軸とともに修正される。新たなハウジング、制御システム、バルブが形成され、当初の設計に逆らった条件で洗浄するのに必要な洗浄力を高める。
【００６６】
通常の逆洗条件での海洋廃棄物濾過の付着性により、プレートが互いに付着し、予想よりも速く詰まり、その後濾過の有効流れが停止し、スピンクレーン（Spin Clean;商標）の設計が修正される。
【００６７】
図２は、濾過システムモジュール２１、外部第１コンテナ２２及び複数の内部第２コンテナ２３からなるコンテナ濾過システムとコンテナの配置２０を示す。外部第１コンテナは２０′コンテナ又はオプションとして４０′コンテナとして形成されてもよい。ポートホール２４が設けられ、２０４０及び４０４０ヨーロッパ型の非一体型冷凍コンテナ（reefer）であってもよい。コンテナドア２５が設けられている。
【００６８】
さらなる実施例が図３に示され、ここでは、濾過システムとコンテナのモジュール３０は濾過システムモジュール３１と外部第１コンテナ３２とからなる。外部コンテナ３２は２０′コンテナ又は４０′コンテナであり、第２コンテナ３３を収容している。コンテナはドア３４を有している。濾過システムモジュール３１は、型式２０４０又は４０４０として形成されたポートホール３５を介して、第２コンテナ３３と流体的に接続している。入口及び出口パイプ（不図示）はこれらのポートホールを介して第２コンテナと流体的に係合している。
【００６９】
数字２０４０，４０４０，２２３２，４２３２及び２２６０は、コンテナの型式識別番号である。
【００７０】
２０４０又は４０４０：
最初の２桁はコンテナの長さを特定している。例えば、２０２０は２０′長さのコンテナを意味し、４０４０は４０′長さのコンテナを意味する。第３及び第４桁はコンテナのタイプを規定する。例えば、２０４０は冷気が２つのホール（ポート）を介して供給排出されて収容品の温度制御を促進する非電動ポートホール型絶縁コンテナを意味する（外部制御の旧ヨーロッパ型）。
【００７１】
２２３２又は４２３２：
これらのコンテナは、一端に冷凍モジュールを収容する標準形態の冷凍コンテナである（一般冷凍コンテナ）。三相電力を供給すると、設定温度を自己調整する。
【００７２】
２２６０：
これは多量液体用の液体取扱いコンテナである。２０′コンテナフレーム内のタンクである。３０４又は３１６Ｌステンレス鋼で、１００００から２６０００リットルまで種々の容量に構成されている。これらは一般に断熱されているが常にではない。
【００７３】
図４は、モジュール４１、第１コンテナ４２及び第２コンテナ４３を備えた濾過システムモジュールとコンテナ４０のさらなる実施形態を示す。コンテナドア４４が設けられている。しかしながら、この場合、発電プラント４５が設けられ、システムが自給されることを保証している。発電プラントは任意のタイプの発電機であってもよく、好ましくは外部に排気され、自動制御により濾過システムモジュール４１を給電し、又は代案として又は付加的に濾過システムモジュールに電力を供給するバッテリーを給電するようにしてもよい。ある形態の発電機が内部に収容され、コンテナポートを介して排気される。例えば、ヨーロッパ型ポートホール４０４０型コンテナは、乗用船であるが、船の電力の供給を受ける場合ではない場合、停電状態を除いてオフモードである。道路又は鉄道運転では、無給電率を利用するために電力をモジュールに供給する。いくつかの鉄道サービスは、原動力（prime mover）を扱うサイドローダコンテナを備えた場合のように、電力を供給しない。
【００７４】
図５は、容易に取り外し可能な濾過システムモジュールとコンテナ５０の利点の一つを示し、ここでモジュール５１は内部に収容されている。図２のような実施例では、モジュールは容易に配置することができることは明らかである。第２コンテナ５３はその容量を減少するために積み重ねられ、起点に戻る有効な輸送手段を提供する。輸送コストは
特別貨物５４、好ましくは有料貨物を追加することで負担することができる。
【００７５】
図６は、第２容器又は製品容器（enclosure）６２と流体的に連通する濾過システムモジュール６１を輸送するトラック６０の側面概略図を示す。本システムにより製品容器６２内の内容物の高い品質の制御が可能であり、収容種の生存率と健康を増進することができる。種はアワビ、牡蛎、魚、ロブスター等の海洋生物、魚、ウナギ、ザリガニなどの淡水種のような任意の種であってもよい。これらの種は、限定するものでないが、他の種も本発明の範囲及び概念の中にある。
【００７６】
図７は、濾過システムとコンテナの組合せ６５を示し、ここで濾過モジュール６６はコンテナ６７の上部に配置された薄い配置として形成されている。この形態は「ウェハ」モジュールと呼ぶことができる。図７Ａは上面図であり、ここでモジュールはアクセス開口６８の回りに延びている。エンドドア６９が設けられ、モジュールは開口を囲む一方アクセスを維持するように形成されている。
【００７７】
図８は、モジュール７１とコンテナ７２のさらなる実施形態７０を示し、ここでコンテナは、第１外部コンテナ７３と該第１外部コンテナ７３内に配置された流体保持第２コンテナ７４からなる。ドア７５によりコンテナへのアクセスが設けられている。この場合のモジュールは、「ウェハ型」構造であり、以下に記載の相当な利点を有する。
【００７８】
図９は、タンク出口パイプ又は導管８１からなる濾過システム配置８０の概略図を示す。タンク出口導管は２又はそれ以上の別個の導管又はパイプからなっていてもよい。パイプはフレキシブル部材として形成されてもよい。パイプは、フレキシブルホースに対しては５０ｍｍ、両端にカムロック継手を有するバヨネットホースに対しては５０ｍｍの寸法を有する。タンク出口は２つのフィルタ８２，８３と流体的に連通している。フィルタは好ましくはプラスチックディスクフィルタとして設けられる。それらはツイン自己洗浄クラッチディスク型フィルタとして形成されることが都合がよい。それらは約１０ミクロン以上の系の粒子を濾過するように適合されてもよい。フィルタを清掃するために空気注入ライン８４が設けられている。空気注入は水貯蔵源を駆動し、水を加圧して濾過面に押し付け、それらを清掃する。代案として、水源を加圧するのにポンプを設けてもよい。水源は都合により塩水、清水であってもよい。
【００７９】
暑い状態で温度を所望のレベルに維持するために、熱交換器８５の形態の冷却配置が設けられている。これは、タンクコンテナが熱帯気候で船のデッキで輸送されるときの問題である。濾過された水は２つの別個のポンプ８６，８７の一方又は両方に引き渡される。一方のポンプについて問題が生じた場合、負荷を広げるために、余剰性（redundancy）を設けることが好ましい。ポンプは濾過システム回路を加圧し、流体をマニホールド８８によりサービスされるバイオフィルタカラム８８に押し込む。マニホールドは必要ならばオプションとしてバイパスライン９０を含む。バイオフィルタカラム８８への流れは適宜変更してもよい。全ての水流がそれらを通過してもよいし、代案として、水流はバイパスを通過してもよい。またはこれらの２つの組み合わせを使用して濾過率を制御してもよい。バイオフィルタカラム８８にバイオ媒体９１が設けられ、該バイオ媒体は焼結ガラス及び/又はシェルグリッド（shell grid）からなっていてもよい。空気をバイオフィルタに押し込んでバイオフィルタ内に位置する水と有益な微生物を酸化させるために、空気注入手段９２が設けられている。バイオフィルタカラム８８の頂部にスキマー（skimmer）ボックス９４が配置され、抽気出口９５を介して羊毛やかす、泡立つ材料を除去するように構成されている。バイオフィルタから取られた流体は、寒冷機構で使用するためにヒータ９６を通過し、滅菌器９７を通ってタンク入口パイプ９８に戻る。タンク入口パイプは、１または複数のパイプからなる。パイプはフレキシブルであってもよいし、剛体であってもよい。パイプは必要に応じて１又は複数のコンテナに戻すように設計される。
【００８０】
種々のモジュール形態が図に示されている。
【００８１】
(i)  タンクコンテナに接続---ＩＳＯ２０´、１００００lt〜２６０００lt（図１）
【００８２】
(ii)  内部に２０´又は４０´ポートホール断熱２０４０〜４０４０ヨーロッパ型非一体型リーファー（図２）
【００８３】
(iii)  外部に２０´又は４０´ポートホール断熱２０４０〜４０４０ヨーロッパ型非一体型リーファー（図３）
【００８４】
(iv)  内部に２０´又は４０´一体型リーファーコンテナ２２３２〜４２３２--あるリーファーコンテナは通気部を有し、該通気部は種々のケーブル例えばホースを接続することで適応することができる（図４）。
【００８５】
(v)  補足製品収容容器を含むＬＣＬ荷のような一般乾燥コンテナにおけるリターンモード（非動作）（図５）
【００８６】
(vi)  非セルモード（静的使用）又はオントレイ又はバントラック。軽量車両輸送--遠隔製品実験バックグラウンドワーク用タンデムトレーラー又は軽量トラック（図６）。
【００８７】
図２，３，４の実施形態は、防水蓋をきつく取り付けた内部容器を必要としている。図２，３，４，５では、システムは過剰に詰め込むことができ、高密度細胞容器に使用する標準スロット要求にかなっている。モード２から４は過大寸法（over dimensional）ではない。
【００８８】
水輸送容量は２０´コンテナ（２２３２−２０４０）では内部空間制限により有効でないので、２０´セルスロットを有効使用することが十分であるが、単一のタンクコンテナを用いて向上することができる。２０´の伝統的なコンテナの利用可能空間は、内部容器の必要性により内部で運ぶことができる水容量を制限する−全ての空間を利用することができない。それで、コンテナは重量収容力ではなく軽くして船で輸送される。したがって、水容量が低いことによる輸送製品の減少は、最大２５トン（道路最大総計）である。空間が増加しているが重量は増加しない（約２５トン）４０´コンテナでは、最大水容量を楽に含めることができる。タンクコンテナは最大水輸送能力に適し、最大重量によりサイズを決めることができる。
【００８９】
４０´コンテナ（４２３２−４０４０）は、完全又は２５トンに近い３軸重量制限（道路）の利用が可能であるが、完全な４０´スロット及びその後のコストを招く。これは、規模経済により有益であることを証明している。
【００９０】
どの種類の製品が輸送されるかに基づいて種々のモードが利用できる。アワビの検査のために個々の容器（enclosure）にオペレータのアクセスが必要である−アワビ１個の死は隣のアワビに影響を与え死なせることがある。しかしながら、えらやうろこのある魚は、最大の水と空間を必要とし、ＩＳＯタンクコンテナが適している。
【００９１】
サイドローダー（side loader）の適用は、静止した保持システムが存在しない遠隔地での製品の統合（consolidation）のために、図２及び図４の２０´及び４０´寸法非超過モジュール（non-over dimensional）にとって好ましい。主運送業者（prime movers）には保持時間がないので、輸送可能な荷を構成するのに多くの漁業日（fishing days）を見ることが必要である。
【００９２】
ある好ましい実施形態は次の特徴を含む。
フレーム：    アルミニウムＣ断面  １．８ｍ×１．８ｍ×１．６ｍ
流体用の４つのラッチポイント又は一般コンテナ留め具を含む
濾過：        ツイン自己洗浄クラッチディスク型
１０ミクロン以下のデプスフィルタ
ポンプ        ２オンガ（onga）、３φプラスチック接着４ｋｗ
毎時３０，０００リッター（総流量＝６０，０００リッター）
バイオ濾過    ５アップドラフトカラム型容器
アクセス−上部及び底部（媒体タイプはオプション）
一般焼結ガラス及び微細貝殻砂含有スキマー（skimmer）
滅菌          高透明度粒状水晶スリーブを備えたＵＶ２５４ナノメータ殺菌低圧チ
ューブ
加熱：        ３つの独立３ｋｗチタニウム被覆エレメント
４００ｖ、９ｋＷ、３５℃以下の総加熱千歳能力
冷却          チタン含浸型熱交換器
４ｋＷ冷凍プラント、大気温度３８℃での取扱温度１０℃以下
制御          オムロンＰＬＣ（プログラマブルロジックコントローラ）に基づき、
デジタルカウンタによるポンプ速度水流、温度及び自動洗浄サイクル
を含む全ての他の機能を概観する。
異常状態警報機能が起動される。
粗く生成された電力でスムーズに運転するために重遮蔽装置を含む。
これはオペレータの最大使用容易性を提供する。
電力          ３φ相
標準３２アンペアプラグで４００−４４０ｖ標準（船舶電力用に無中
立で配線されている）
水：          オプション／清水又は塩水は供給されればタンク水を無損失洗浄を容
易にする。
発電機：      公称１５ＫＶＡ
平均負荷−約８ＫＶＡ
加熱は１４ＫＶＡまで間欠的に余剰電力負荷を要求する。
湿潤表面：    全接触水表面はＰＶＣ３１６Ｌ又はチタンである。
【００９３】
標準船積み配置は、十分なサポートを与える。以下のことが適している。
【００９４】
(i)  過剰積込みの無いデッキスロット−タンクコンテナモード（製品検査）で必要な検査カバーにアクセスする。
【００９５】
(ii)  電動スロット−標準リーファー電源
【００９６】
(iii)モジュールは、モジュールはタンクコンテナを長手軸に超過寸法にする約１．４ｍ過剰に長い。モジュールが流体コンテナの端寸法を超過しなければ、４０´スロットで足りる。
【００９７】
(iv)  １０ｍｍ（１／２”）ホースによりタンクに供給される水−逆洗モード用（必要であれば調整されたタンク水上を走ることができる、）
【００９８】
(v)  荷揚げから荷下ろし地（現在）まで容器とともに移動するオペレータ（システムスペシャリスト）を募集してもよい。
【００９９】
タンクコンテナシステムは、熱帯又は寒冷地で清水又は塩水の両方に使用してもよい。モジュールは１００００リッターから２６０００リッターの海洋２２６０２０´タンクコンテナと関連して動作するように設計される。
【０１００】
本システムは、約１０ミクロン粒子サイズ以下の自動機械的濾過を提供してもよい。この濾過システムは塩水回路に組み込んで、主ポンプの前に配置して、固形又は半固形物の混合を停止し、それ以降の除去を許容するようにしてもよい。
【０１０１】
ハウジングは、開口や継手が配置されるように機械加工されたプラスチックパイプの厚い断面から構成してもよい。圧縮空気の洗浄サイクルへの導入は、水単独よりもはるかに優れた洗浄動作を提供する。
【０１０２】
特大の乱流と結合された濾過プレートを接線方向に横切る速度の増加率は、より大きなエネルギー入力を促進し、圧縮空気が洗浄に使用されたときに洗浄効率を向上するように思われる。これは、清水（生水又は代案として塩水源）を洗浄剤とし洗浄回路が圧縮空気のみによって駆動される場合に、達成される。
【０１０３】
この形態では、清水洗浄サイクル（洗浄回路）とともにその背後で圧縮空気が駆動力となっていることにより、洗浄ポンプを必要としない。
【０１０４】
圧縮空気により駆動される清水の洗浄容量は、洗浄必要性に適するように変化させることができる結果、洗浄容量とサイクル時間が減少する。３〜１０リッターの低い水消費量と５から８秒の短い洗浄時間とが達成される。これは、従来の逆洗動作に比べて非常に短いが、１２０ｐｓｉの差圧に対抗することができるスプラインを備えることで、有機かつ粒子状の廃棄物の高度接着により、短時間で低容量の高圧洗浄が実行可能であり、必須でとなる。驚くべきことに、この洗浄問題の解決を追求し、ある利点が見いだされた。蛋白質スキマー（protein skimmer）のように有機廃棄物を捕獲するこのフィルタの能力は、非常に有利である。おそらく液気界面を使用する蛋白質スキマーと同様、固液界面によりこの方法で機能すると思われる。プレートから除去される高圧有機廃棄物が高乱流洗浄により達成されると、第１洗浄動作が実行可能となる。１０ミクロンの深さを越える効率の濾過の用途が予想されている。
【０１０５】
大きな濾過面積と低い圧力差は、主マニホールド管の下方の異なる駆動機構により供給される長いスプラインと高いプレート圧力（圧縮力）を利用することにより、濾過面を横切るこの効果を最大化することができる。
【０１０６】
プレートの数は、濾過ハウジングカバーを延長することにより、外部が同様のサイズのフィルタでより多い処理量を与えるように、増加することができる。このように、同様の濾過面積の増加により３０−４０％の効率向上が達成され、圧力差が減少され、エネルギーが大いに節約される。その後のスピンオフにより、流速が低いので有機物質がフィルタディスクに多く保持される。圧力差が低いことにより、濾過ヘッドでの熱交換が減少し、冷凍及びポンプコスト（pumping cost）が減少する。
【０１０７】
入口及び廃棄物用のバルブは、ブロンズのオフセットブランチＶ型、錫がめっき（plated）され、静電的に被覆されている。これらは、濾過/洗浄モードの真空圧力の必要性により、
二重動作型であってもよい。駆動機構と液圧装置は、２４ｖＡＣソレノイド駆動のプラスチックである。「ワイルデン」（Wilden(商標)）（ダイヤフラム）供給ポンプは、「オンガ」（商標）圧力貯蔵器と同様に、液圧制御用である。修正がより大きなサイズの制御チューブであり、主液圧流体が洗浄水源から引きかれた清水であることにより、腐食と目詰まり（gumming）の問題が排除される。
【０１０８】
バルブのよりタイトな制御動作は、運転サイクルの性質、真空及び空気圧力による塩水の引き込み、圧縮空気水洗浄、その後の清水の排除、塩水の再充填により達成され、ハウジング内の特定の有機物の保持が可能になり、濾過容器からの除去が促進される。全ての濾過ヘッドに対する３つのソレノイド回路が有益であり、より複雑化されたロジックコントローラによるこれらの制御が適切である。
【０１０９】
ツインオールプラスチック３相「オンガ」ポンプが適切であり、このポンプは可変３相速度制御と連結されてもよく、低製品負荷又はタンク貯蔵容量より少ない運転のときに、有効な運転を許容する。ポンプの設置はできるだけ低くし、この場合、流体レベルの概略基準線である。ポンプ保護回路と温度過負荷は同じマスターロジックコントローラにより制御してもよい。
【０１１０】
「マナロープ（登録商標）」圧縮機、コンデンサ、ファンユニットは適切であることが証明された。船上や通路（transit）での熱の除去は、交換ファンを循環させることにより容易に取り組むことができる。
【０１１１】
熱交換器は、コンパクトなマニホールドに合うように曲げられ巻かれたチタンチューブであってもよい。モジュールのマニホールド部にコイルと真直な冷蔵室アセンブリとを利用することによって、大きな水の乱流の利点が活用され、最高の熱変換を得ることができる。
【０１１２】
スキマーは、水と空気の間の接触経路が最大の可能な長さであるときに、最高の効率を提供する。一つのオプションは、部分圧力下でスキマーを走らせることである。主ポンプの吸込み側で、溶解酸素レベルを増加する曝気（aeration）のために空気が水流に流出し、５つのアップドラフトバイオフィルタの上側で除去される。アップドラフト容器の底で水に注入された第２の空気は円筒容器の頂部に空所を生じ、過剰空気と汚染泡が引き離され、第２の出口抽気を用いて引き出すことができる。バイオフィルタとスキマーの組み合わせは、空間を節約し、１シリーズの容器の二重動作により新規である。バクテリア濾過とタンパク質/廃棄物除去の両方のために、設計スペースと重量が節約され、これはある輸送形態で重要である。この形態では、全システムはガス交換を助成し、水と酸素の含有量を増加するほか、スキマーとして運転してもよい。
【０１１３】
従来のシステムレイアウトでは、バイオフィルタは完全総合回路の一部であり、通常はタンクからオーバーフローする第１要素ポストである。フィルタはそこに配置され、冷蔵室の前の最後の要素であるという事実により、温度の僅かな上昇（可能性）という利点がある。しかしながら、この配置には多くの欠点があり、それは以下のものを含む。
【０１１４】
（i）タンクの排出口での溶解酸素の不足
【０１１５】
（ii）多量の溶解有機物、粒状有機物及びその他の物質がフィルタの上層に滞留し、詰まったり、汚染レベルを増加する傾向がある。
【０１１６】
（iii）ある形態の機械的投入又は注入なしに、曝気を高める可能性がない。
【０１１７】
（iv）フィルタは主な生物学的環境から分離することが非常に困難である。
【０１１８】
（v）バクテリアコロニー減少効率を犠牲にして多大な酸素を除去し、製品を輸送する高い生物学的要求を止める方法がない。
【０１１９】
（vi）バクテリア酵素廃棄物分解プロセスを助成するために圧力、酸素、熱の変化を使用する可能性がない。
【０１２０】
本発明では、バイオフィルタは別個の補助ループ上を移動し、流れを監視してもよい。アンモニア、亜硝酸塩、及び硝酸塩の形成は、低ミクロンで機械的に濾過され、かすを除去（skimmed）されたタンクシステムにおいて、緩やかな過程である。全タンク容量は異なる流量でフィルタを通して循環する。結果として生じるフィルタの隔離は、バクテリア成長に適するように環境（溶解酸素）の「カスタム」変更を可能にする。バクテリアの最適成長条件は搬送品とは異なる。第１は温度、第２はアンモニア、タンクに入れられた製品には致命的であるがフィルタバクテリアには栄養と考えられる他のタンパク質分解製品である。部分操作自立性（partial operational autonomy）の必要性が生じる。大きな表面積を有する物質媒体とは別に、生物活性が増加する主要因は温度、圧力及び酸素である。これらの変化は本発明で大いに取り扱っており、作業効率が大きい。
【０１２１】
ＵＶシリアライゼーション（serialisation）は２つの場面で利用してもよい。第一は、水の生物学的純度を設定できないように要求される場合に、入り海水を処理し、積み荷容器を交換することである。これは汚染に対する予防である。第二は、バイオフィルタコロニーのメンテナンスであり、バイオフィルタの開発のタイプと状態、製品のタイプと荷重に応じて、利用してもよいし、利用しなくてもよい。第三の場面では、ある甲殻類に対する法的要求として、塩水環境の有害な病原体を減少してもよい。
【０１２２】
これらのシステムは、多くの基本的方法における従来のタンクシステムの通常のレイアウトから変化している。
【０１２３】
通常からのある変化は、約１０ミクロン粒子サイズまでの自動機械的濾過である。この濾過システムは主ループ回路に組み込まれ、主ポンプの前に配置され、固形又は半固形物の混合とその後の除去を停止する。
【０１２４】
ディスク圧縮フィルタは、泡分別器（泡分別器は塩水中でのみ有効である）の液気界面に類似する固液界面を利用するタンパク質スキマーに類似する方法で行動をする付加的な利点を有する。
【０１２５】
フィルタは、電子的に監視され、負荷に応じて、圧縮空気で運転される清水により洗浄される（８リッターの洗浄容量は通常である）。調整されたタンク水はこの過程で失われないし、粒子と有機廃棄物の完全除去が達成される。
【０１２６】
この技術は、アンモニア減少能力を減少することなく、バイオフィルタの輸送サイズへの圧縮を許容した。
【０１２７】
ポンピングシステムは、低製品負荷での電力節約のための速度制御を組み込んで、信頼性のために複製される（製品の負荷と市場放出の統合）。水速度の減少の結果、摩擦の減少により冷蔵コストが節約される。
【０１２８】
アンモニアの非生物学的減少
【０１２９】
アンモニアの減少は、従来、バイオ濾過―任意の方法で収容され供給されるバクテリアの適切なコロニーにより行われている。多くの場合、変動荷重及び他のバイオ因子に関係する問題の根源である。
【０１３０】
専用レドックスリアクターでオゾン及びＵＶを共に使用することにより、２つの有毒物質である「アンモニアと亜硝酸塩」を酸化して硝酸塩にすることができる。反応は細菌学的酸化に似ている。
【０１３１】
実施例の概要：
光学的に１８０−２９０ｎ/ｍ帯域ＵＶ又は電気放電（コロナ）により生成されるオゾンを接触槽に供給し、ここでオゾンをＵＶ放電ランプにさらす。広帯域放射１８０−２６０ｎ/ｍ（赤外線）を使用する。短波長はオゾンを生成し、長波長はオゾンを分解する。波長の変化により、分解帯域を減少し、第２に溶液中の特定の化学物質を目標とし、エネルギーポテンシャル、すなわちその酸化される能力を増加することで、性能を増加することができる。
【０１３２】
ＵＶ帯域での変化は、ランプを包囲する他の媒体、ガス又は液体を透過させ、特定の帯域を吸収し、好ましい放射線を反応槽に通過させることによって、達成してもよい。濾過（ＵＶ吸収）溶液/ガスは多くすることができ、酸化される種又は吸収される帯域に従って変化させることができる。
【０１３３】
伝統的な放射線吸収物質、例えばビコル（Vicor;登録商標）での石英ガラスの伝統的処理は、１８０−２００ｎ/ｍＵＶの範囲を排除し、短波長を「殺菌性」の２５４ｎ/ｍ分解帯域を通過させることによりオゾンの生成を停止することのみを目的としている。これは、石英ランプを所定の媒体（図１０及び１１参照）で包囲することにより克服することができる。
【０１３４】
酸化過程の制御は、特定のミリボルトに設定することができる電子回路に接続されたプラチナレドックスプローブにより接触/照射槽内で読み取られたミリボルトによって達成され、これにより汚染水を流動させることができる（すなわち、レドックス「ミリボルト」が目標範囲以下に低下すると、ミリボルト範囲が回復するまで、流れを遅くするか、停止する。これにより、種々の酸化汚染物質に対して露光接触時間を許容することができる）。
【０１３５】
結果として得られる時間とミリボルトの曲線の形跡（signature）は、任意の水の試料に存在する汚染物質―又は全酸化種の総量とタイプを計算するのに使用することができる。始動ミリボルト範囲と、時間に対してプロットされた曲線の関係は、どの物質が酸化されかの形跡とそれらのレベルを与える。そのため、接触槽は適切なコンピュータインターフェースを用いて分析器具として使用することができる。
【０１３６】
ミリボルト読取値の上昇速度は、水処理システムの全負荷を決定するのに使用することができる。ミリボルト上昇が迅速であれば（清水）、エネルギーを減少することができ、反応槽を減速し、必要でなければエネルギーを保存することができる。
【０１３７】
接触槽を通るバッチ移送により、水状態と機械性能を連続的に分析することができる。
【０１３８】
アンモニア又は亜硝酸塩のオンラインでの検出方法は現在のところ利用できない。レドックスは一般酸化ポテンシャル読みであって、高いか低いかであるので、有害なアンモニア又は亜硝酸塩を隠している。これらの物質が酸化攻撃されたときのみ、それらの容量と性質を決定することができる。この方法で耐久性のあるレドックスプローブを使用することにより、耐久性と精度のある器具を提供することができる。公知の標準（汚染物質）を用いて接触槽のキャリブレーションを容易に行うことができ、器具/機械を要求される性能レベルに設定することができる。
【０１３９】
このシステムは、スタンドアロンとすることができ、また従来のバイオフィルタを支援して、衝撃荷重又は性能不良を多くの理由で克服することができる。バイオ濾過の組み合わせは、脱窒素（硝酸塩除去）ができ、又はバイオフィルタ状態として、より経済的なバイオコロニー（賢明なエネルギー）を使用して、酸化/接触槽に対するエネルギー需要を巻き戻すことができる。
【０１４０】
使用はアンモニアと亜硝酸塩に限定されるものではなく、従来の水処理技術で破壊することがほとんど不可能であると証明されている除草、農薬汚染、有機金属ハロゲン化合物等、他の人工汚染物質にも使用できる。これらはこの新規な技術により酸化することができる。
【０１４１】
オゾンの照射は、オゾンＯ３より大きな酸化ポテンシャルを有する他の酸化種を生成することができる。また受動的なバックグランド照射は、目標種のエネルギーレベルを増加し、酸化反応に対してより敏感にさせる。
【０１４２】
処理水は、狭い帯域２５４ｎ/ｍＵＶに露出される第２チャンバを通って流出する。これは出口流れに存在するオゾンを分解し、保持システムのバイオコロニー又は製品に対する下流側での損傷を緩和する。
【０１４３】
図１０と１１で特定されている部品は以下の通りである。
１００  水オゾンＵＶ接触槽
１０２  媒体ギャップＵＶフィルタ
１０４  ベンチュリ注入器
１０７  入口水
１０８  広帯域スリーブ
１１０  外部容器
１１２  入口空気流路
１１４  出口水
１１６  ランプ
１１８  空気/乾燥空気/酸素強化空気/酸素
１２０  レドックスプローブ
１２２  循環ポンプ
１２４  循環水ループ
１２６  空気入口
１２８  スリーブ（石英広帯域）
１３０  外部容器
１３２  入口水
１３４  オゾン経路
１３６  ベンチュリ注入器
１３８  出口水
１４０  水銀アルゴンＵＶランプ
１４２  スリーブ（ビコル（Vicor;登録商標））
【０１４４】
雰囲気制御タンクコンテナ
【０１４５】
甲殻類（イガイ、牡蛎、カクレ（cackles）等）の輸送用のタンクコンテナの使用は、
湿気非溢水雰囲気制御状態で輸送脚部を走らせることで、ストリームライン化することができる。
【０１４６】
満液又は半満液のときの流体タンク取扱いの道路規則は非常に制限的である。重量超過は許されず、サイドローダの使用は禁止されている。これらにより低姿勢であってはならない。これにより点引き渡し/積み込み（point delivery/pickup）は排除される。
【０１４７】
雰囲気は酸素富化水（oxygen rich water）からなり、該酸素富化水はポイント雰囲気で飽和している。すなわち、必要なときに甲殻類が呼吸できるような「すずしい霧のような環境」である。温度はタンクコンテナの底に向かうチタンチューブにより調整され、充満（溢水）モードと空（非溢水）モード（湿潤又は乾燥）の両方での冷却ができる。既存のタンクコンテナに対する広範囲の修正は図１２と図１３に概説されている。
【０１４８】
タンクは、旅行前の地、又は輸送脚の海洋部の出発地で積み込まれた容器上で溢れさせることができる。排出点で空にされ、輸送行路の道路両端での立法規制の従うことができる。
【０１４９】
溢水モードにタンクを保持するオプションは、相当な時間、貯蔵寿命の持続効果なしにプレミアム付製品の市場を成功させるのに必要であれば何週間も、製品を保持することができる。１７,５００ｌｔタンクの使用は、乾燥又は湿潤の重量要求のいずれにも許容できる。
【０１５０】
温度は通常、製品を保存するのに最適な「生存」温度に制御されるが、タンク内の状態を危険にさらす事象が生じる場合（例えばシステム故障）、温度をセンサで検出し、（例えば）−２から−３℃に自動的に減少し、製品を実質的に生物安定状態に維持し、その保存を助成することができる。システム故障中の電力冷凍（power freezing）の使用は、どんな理由であっても、製品を海水に浸漬することにより、保証される。これにより、迅速で効率のよい海水冷凍が許容され、最悪の事態でも製品の売れ行きが維持される。
【０１５１】
これらのシステムの遠隔人工衛星監視は、容易に達成され、これによりオペレータは多くの要因によりに積荷状態を遠隔的に決定することができる。
光学画像
酸素需要
ＰＨ制御投与―二酸化炭素レベル
機械運転状態
流れ
圧力
温度
電力状態
【０１５２】
雰囲気の湿度は、水位（床下）で霧状ミストを生成する超音波変換器により提供される。酸素は外部シリンダにより調整器を介して内部雰囲気に提供される。タンクを通してのゆっくりした流出（bleed）が維持することができ、雰囲気を要求された流入設定量と流出設定量に交換することができる。
【０１５３】
タンクコンテナは水処理モジュールから分離してスタンドアローンで運転することができることに注意すべきである。
【０１５４】
生体輸送と無関係の他の２つの輸送モジュールを以下に概説する。これらは冷凍システムの新規な使用であり、水処理モジュールを必要としない。
【０１５５】
タンクコンテナで輸送困難な製品を海外に輸送するのに、液氷スラリーを使用する―「冷凍モード」。輸送困難な製品を海外に輸送するのに、液氷ゼラチンスラリーを使用する―「冷凍モード」。
【０１５６】
図１２と図１３で特定されている部品は以下の通りである。
１５０  クリップ式上荷水調整モジュール
１５２  酸素シリンダ
１５４  発電機２０ＫＶＡ
１５６  冷凍機コンデンサ
１５８  ＴＸバルブ
１６０  二重標準電力変換器及びリード/プラグ海岸/船舶電力
１６２  燃料タンク
１６４  冷凍機圧縮機
１６６  冷却チューブ
１６８  超音波蒸気システム
１７０  供給源（流入海水）
１７２  マンホール
１７４  浮動トップレベルスキマー（流出塩水）
１７６  回転分配ヘッド（流入海水）
１７８  流出塩水
１８０  床（メッシュ孔開き）
１８２  １５ｋｇポリエチレンメッシュ袋に積み重ねられた製品
１８４  床パネル（同じオーバー全域）
１８６  流出塩水（フルモード）
【０１５７】
明細書を通して、その目的は、本発明をいずれかの実施形態又は特定の特徴に限定することなく、本発明の好ましい実施形態を記載することである。したがって、当業者は
この開示に照らして、本発明の範囲から逸脱することなく、例証された特定の実施形態に種々の修正や変更を行うことができることを認めるであろう。そのような修正及び変更は本発明の範囲に含まれるように意図されている。
【図面の簡単な説明】
【０１５８】
【図１】単一のタンクコンテナと濾過システムモジュールの第１配置の側面概略図を示す図式的表現である。
【図２】第２配置の側面概略断面図を示す図示的表現であり、ここで濾過システムが２０´コンテナ又は４０´コンテナである第１外コンテナの内側に配置され、一連の第２コンテナが内部に配置されている。
【図３】図２に類似するが、第１コンテナの端部外方に濾過システムが位置する側面概略図を示す図式表現である。
【図４】図２に類似するが、さらに発電プラントを含む側面概略図を示す図式表現である。
【図５】外コンテナの内側に追加の輸送物を梱包した第２コンテナと濾過システムモジュールを梱包したリターンモードの側面概略図を示す図式表現である。
【図６】陸上輸送で、第２コンテナとともに使用する濾過システムの側面概略図を示す図式表現である。
【図７】上面にウェハー型の単一システムが搭載された単一のタンクコンテナの側面を示す図式表現である。
【図７Ａ】検査孔へのアクセスを提供する濾過システムモジュールの分布を示す図６の配置の上面概略図を示す図式表現である。
【図８】第２コンテナが中に配置された外部第１コンテナに搭載するときの図７のモジュール配置の側面概略図を示す図式表現である。
【図９】本発明の濾過システムの第１実施形態の概略図を示す図式表現である。
【図１０】アンモニアと亜硝酸塩を酸化するために媒体により包囲されたクオーツランプの図表であり、一つの横断面図と一つの縦断面を示す。
【図１１】アンモニアと亜硝酸塩を酸化するためのシステムの図表であり、一つの横断面図と一つの縦断面を示す。
【図１２】甲殻類を輸送するのに修正されたタンクコンテナの図表であり、端面図及び側面図を示す。
【図１３】図１２の修正されたタンクコンテナの他の図表であり、平面断面図及び側面断面図を示す。
【国際調査報告】
2008518637.tif 000017
2008518637.tif 000018
2008518637.tif 000019
2008518637.tif 000020